(57)【特許請求の範囲】
【請求項１】
デジタル公衆回線に接続可能であり、デジタル無線基地局機能を有する無線通信装置において、
高周波ユニットと、
前記デジタル公衆回線と同期した第１のクロックを発生する第１のクロック発生手段と、
前記高周波ユニットからの第２のクロックを分周することにより、無線通信のための第３のクロックを発生する第３のクロック発生手段と、
デジタル公衆回線との同期がとれていると、第１のクロックに同期して、第３のクロックを発生させる制御手段と、
を備えたことを特徴とする無線通信装置。
【請求項２】
更に、第２のクロック及び第３のクロックに基づき動作するデジタル無線ベースバンド処理手段を有し、前記デジタルベースバンド処理手段は、無線伝送フレームの組立及び分解処理を行う組立分解手段を備えたことを特徴とする請求項１記載の無線通信装置。
【発明の詳細な説明】
【０００１】
【発明の属する技術分野】
本発明は、デジタル公衆回線に接続され、デジタル無線（たとえばＰＨＳ）の親機機能を有する無線通信装置に関する。
【０００２】
【従来の技術】
近年、ＩＳＤＮの普及に伴い、パソコンなどのデータ端末をターミナルアダプタを介してＩＳＤＮに接続し、データ端末で処理されたデータを送受信できるようになってきている。この場合、データ端末をＲＳ２３２Ｃなどのケーブルでターミナルアダプタに接続し、ＰＣからターミナルアダプタに対して２４００ｂｐｓ、４８００ｂｐｓ、９６００ｂｐｓ、１９．２Ｋｂｐｓ，３８．４Ｋｂｐｓなどの伝送速度で調歩同期方式でデータを送信している。データを受けたターミナルアダプタでは、ＩＴＵ（Ｉｎｔｅｒｎａｔｉｏｎａｌ  Ｔｅｌｅｃｏｍｍｕｎｉｃａｔｉｏｎｓ  Ｕｉｏｎ）−Ｔ標準勧告のＶ．１１０、Ｉ．４６０に従って、データを６４Ｋｂｐｓの伝送速度に変換してＩＳＤＮに送信している。
【０００３】
また、ＰＨＳ（Ｐｅｒｓｏｎａｌ  Ｈａｎｄｙ−ｐｈｏｎｅ  Ｓｙｓｔｅｍ）の普及に伴い、ＰＨＳを利用して無線データ伝送を行う端末も実用化されている。ＰＨＳを利用して無線データ伝送を行う場合には、端末間で再送制御などを行うために、所定のフォーマットのフレームを構成してデータ伝送を行っている。日本においては、ＰＩＡＦＳ（ＰＨＳ  Ｉｎｔｅｒｎｅｔ  Ａｃｃｅｓｓ  Ｆｏｒｕｍ  Ｓｔａｎｄａｒｄ）として、無線データ伝送プロトコルが標準化されている。この無線データ伝送プロトコルを利用することで、データ端末を用いた無線によるデータ通信を実現することが可能となっている。
【０００４】
また、これらＩＳＤＮとＰＨＳを組合せることにより、公衆回線を介して有線及び無線による音声や各種データの通信が可能となっている。例えば、図２７に示したように、ＰＨＳ親機１００２、バーソナルコンピュータ等のデータ端末１００３、ファクシミリ装置１００４をターミナルアダプタ１００１を介してＩＳＤＮ１０００に接続すると共に、データ端末１００３には、スキャナ１００６やプリンタ１００７を接続し、ＰＨＳ電話機１００５からの音声やスキャナにて読取られた画像データ等をＩＳＤＮ１０００を介して送信すること等が可能となっている。
【０００５】
このように、ＩＳＤＮを介してデータ通信を行う場合、網（ＩＳＤＮ）との同期を取るための付加回路が必要となり、その網同期処理は、ＴＡ（Ｔｅｒｍｉｎａｌ  Ａｄａｐｔｅｒ）により行っている。
【０００６】
図２８は、網同期処理を行う従来のＴＡの概略構成を示すブロック図であり、図示したように、従来のＴＡは、ＣＰＵ１１００、メモリ１１０１、バス１１０２、ＩＳＤＮインターフェイス１１０３、ＨＤＬＣ（Ｈｉｇｈｌｅｖｅｌ  Ｄａｔａ  Ｌｉｎｋ  Ｃｏｎｔｒｏｌ）コントローラ１１０４、ＰＬＬ（Ｐｈａｓｅ−Ｌｏｃｋ  Ｌｏｏｐ）回路１１０５、ローパスフィルタ１１０６、ＴＣＶＣＸＯ（Ｔｅｍｐｅｒａｔｕｒｅ  ｃｏｍｐｅｎｓａｔｅｄ  ｖｏｌｔａｇｅ  Ｃｏｎｔｒｏｌｌｅｄ  Ｃｒｙｓｔａｌ  Ｏｓｃｉｌｌａｔｏｒ）１１０７、ベースバンド処理部（ＢＢＩＣ）１１０８、ＲＳ２３２Ｃコントローラ１１１０等により構成されている。そして、ＰＬＬ回路１１０５、ローパスフィルタ１１０６、ＴＣＶＣＸＯ１１０７を用いて網（ＩＳＤＮ）との同期を取るように構成されている。
【０００７】
ところで、ＩＳＤＮに接続されたデジタル無線通信装置で用いられるクロックは、ＲＣＲ  ＳＴＤ（Ｒｅｓｅａｒｃｈ＆ｄｅｖｅｌｏｐｍｅｎｔ  Ｃｅｎｔｅｒ  ｆｏｒ  Ｒａｄｉｏ  Ｓｙｓｔｅｍｓ  Ｓｔａｎｄａｒｄ）−２８の標準規格により、周波数安定度は±３ｐｐｍ、伝送速度精度は±５ｐｐｍという非常に高い精度が要求されるが、従来は、ＩＳＤＮから受信するクロックによりタイミングを取って無線部を動作させるのは難しかった。
【０００８】
従って、ＰＨＳとＩＳＤＮの間でデータ［ＰＣＭ（Ｐｕｌｓｅ  Ｃｏｄｅ  Ｍｏｄｕｌａｔｉｏｎ）符号化された音声を含む］の送受信を行う場合、データのオーバーラン、アンダーランを防ぐためにＩＳＤＮ回線とＰＨＳ無線回線が同期して動作することが必要となる。
【０００９】
その一方で、ＰＨＳ無線回線の同期タイミング精度は、±５ｐｐｍ以内という高い精度が求められる。ＩＳＤＮから抽出される同期タイミングクロックの精度は±５ｐｐｍに比べて悪いものであったため、図２８に示したＴＣＶＣＸＯ１１０７とＰＬＬ１１０５などから構成される同期システムによって、ＩＳＤＮに同期した６４ＫＨｚクロック１１１２とＴＣＶＣＸＯ１１０７より生成される１９．２ＭＨｚクロックにより、ベースバンド処理部１１０８で生成される６４ＫＨｚクロック１１１２を補正し、この補正したクロックによりＴＣＶＣＸＯ１１０７を制御して動作させていた。
【００１０】
ＴＣＶＣＸＯ１１０７は、入力電圧の大きさの如何に拘わらず、出力周波数が１９．２ＭＨｚ±３ｐｐｍに収まっており、ＴＣＶＣＸＯ１１０７の出力クロックに基づいて、ベースバンド処理部１１０８で生成される６４ＫＨｚクロック１１１３とＩＳＤＮに同期した６４ＫＨｚクロック（ＩＳＤＮクロック）１１１２がＰＬＬ１１０５に入力される。
【００１１】
ＰＬＬ１１０５は、ベースバンド処理部１１０８で生成される６４ＫＨｚクロック１１１３とＩＳＤＮクロック１１１２との位相を比較し、ＩＳＤＮクロック１１１２の位相の方が進んでいれば５Ｖのパルスが出力され、位相が遅れていれば０Ｖのパルスを出力する。このＰＬＬ１１０５の出力パルスは、ローパスフィルタ１１０６で平滑され、この平滑された信号が電圧制御信号としてＴＣＶＣＸＯ１１０７に入力されることにより、ＴＣＶＣＸＯ１１０７の発振周波数が制御される。
【００１２】
すなわち、ＩＳＤＮクロックの位相が進むとＴＣＶＣＸＯ１１０７の制御電圧が上昇し、ＴＣＶＣＸＯ１１０７の出力周波数は高くなり、ＴＣＶＣＸＯ１１０７の出力とＩＳＤＮクロック１１１２の位相が一致する方向に向かう。逆に、ＩＳＤＮクロックの位相が遅れると、ＴＣＶＣＸＯ１１０７の制御電圧が低下し、ＴＣＶＣＸＯ１１０７の出力周波数は低くなり、ＴＣＶＣＸＯ１１０７の出力とＩＳＤＮクロック１１１２の位相が一致する方向に向かう。このようにしてＩＳＤＮクロック１１１２との同期が取られたＴＣＶＣＸＯ１１０７の出力は、ベースバンド処理部１１０８に入力され、ベースバンド処理部１１０８は、ＴＣＶＣＸＯ１１０７の出力信号に基づいて６４ＫＨｚクロック１１１３を生成するので、結局、ベースバンド処理部１１０８で生成される６４ＫＨｚクロック１１１３とＩＳＤＮクロック１１１２との同期が取られることとなる。
【００１３】
なお、特開平７−３０７９６９号公報に記載されているように、デジタル網に同期している第１のクロック源と、第１のクロック源より精度の高いクロックを供給する第２のクロック源と、第１のクロック源または第２のクロック源と同期して動作する第１の通話路ユニットと、第２のクロック源に同期して動作する第２の通話路ユニットにより構成され、内線通信であるか外線通信であるかにより、通話路ユニットを選択して通信を行うデジタル無線電話装置も考えられている。
【００１４】
【発明が解決しようとする課題】
しかしながら、ＲＣＲ  ＳＴＤ−２８では、周波数安定度の絶対精度は±３ｐｐｍで規定され、基地局および移動局間の５ｍｓ毎のバースト送受信の精度を示す伝送速度の絶対精度は±５ｐｐｍで規定されている。このように、伝送速度精度の絶対精度が周波数安定度の絶対精度よりも緩やかな規格になっているにも拘わらず、従来は、周波数安定度が±３ｐｐｍという精度の高い基準周波数を基に伝送に関わるクロックを作成していた。
【００１５】
このため、従来は、ＴＣＶＣＸＯとしては、高精度に周波数を可変し得る非常にコストの高いものを使用しなければならなかった。また、ＴＣＶＣＸＯの周波数を電圧で制御するために用いられるＰＬＬ回路１１０５内の位相比較器は、位相の比較結果をアナログの電圧値に変換する必要があり、外部にコンデンサ、抵抗が必要となり、基板を小型化することができなかった。
【００１６】
さらに、現在市場に出ているＲＦモジュールは、内部にＴＣＸＯ（Ｔｅｍｐｅｒａｔｕｒｅ  Ｃｏｍｐｅｎｓａｔｅｄ  Ｃｒｙｓｔａｌ  Ｏｓｃｉｌｌａｔｏｒ）を標準で搭載しており、可変ではないが±３ｐｐｍの精度で基準クロックを出力することができる。従って、外部にＴＣＶＣＸＯを搭載する場合、標準で搭載しているＴＣＸＯは無駄となる。
【００１７】
また、前述の特開平７−３０７９６９号公報に記載されているデジタル無線電話装置においては、デジタル網よりも高精度のクロック源を搭載しているにも拘わらず、無線部を介して通信を行うときは、ＩＳＤＮとの間にバッファを設ける必要があった。さらに、複数の通話路を制御するための回路構成やソフトウェアが複雑になり、より高価な製品になってしまっていた。また、ＩＳＤＮとの同期が完全には取れていないため、音声通信時には目立たないデータスリップが生じ、ＰＩＡＦＳ等の無線を使用したデータ通信時には、フレームの再送を引き起こしスループットを低下させるという問題があった。
【００１８】
そこで、種々検討した結果、最近は、通信技術の進歩によって、ＩＳＤＮから受信するクロックの精度が大幅に向上しているので、ＩＳＤＮからのクロックを利用する方法を研究した。
【００１９】
本発明は、このような背景の下になされたもので、その課題は、高周波ユニットに設けられたクロック発生手段を利用することにより、デジタル公衆回線との同期がとれていなくても、必要なクロックを発生することができる無線通信装置を安価に提供することにある。
【００２０】
【課題を解決するための手段】
上記課題を解決するため、請求項１記載の発明は、デジタル公衆回線に接続可能であり、デジタル無線基地局機能を有する無線通信装置において、高周波ユニット（２４１）と、前記デジタル公衆回線（１０７）と同期した第１のクロック（２６０）を発生する第１のクロック発生手段と、前記高周波ユニット（２４１）からの第２のクロック（３１８）を分周することにより、無線通信のための第３のクロック（３１６）を発生する第３のクロック発生手段（ＤＰＬＬ）と、デジタル公衆回線（１０７）との同期がとれていると、第１のクロック（２６０）に同期して、第３のクロック（３１６）を発生させる制御手段（２０１）とを備えている。
【００２１】
また、請求項２記載の発明は、更に、第２のクロック（３１８）及び第３のクロック（３１６）に基き動作するデジタル無線ベースバンド処理手段（２３９、２４０）を有し、前記デジタルベースバンド処理手段（２３９、２４０）は、無線伝送フレームの組立及び分解処理を行う組立分解手段（３０４、３０９）を備えている。
【００２７】
【発明の実施の形態】
以下、図面を参照して、本発明の実施の形態を詳細に説明する。
【００２８】
図１は、本発明の実施の形態による無線通信装置を適用した通信システムを示す図である。図１において、１０１は無線通信装置、１０２，１０４はＰＨＳ電話機、１０３は有線ケーブルで接続されたパーソナルコンピュータ等のデータ端末、１０５は無線データ伝送プロトコル（ＰＩＡＦＳ）処理カード（以下、ＰＩＡＦＳカードという）、１０６はＰＩＡＦＳカード１０５により無線で接続されたパーソナルコンピュータ等のデータ端末、１０７はデジタル公衆通信網としてのＩＳＤＮである。なお、本無線通信装置は、ＰＨＳ親機機能、ファクシミリ機能、プリンタ機能等を備えた複合機に搭載されたものである。
【００２９】
図２は、無線通信装置１０１の概略構成を示すブロック図である。図２において、２０１は装置全体の制御を司る中央制御部（ＭＰＵ）、２０２はバス（データバスおよびアドレスバス）、２０３は各種のプログラムが格納されたＲＯＭ、２０４はワークエリア等として利用されるＲＡＭである。２０５はＦＡＸエンジン用のＣＰＵ２０６、ＲＯＭ及びＲＡＭ（図示省略）等を含むマイクロコンピュータ、および画像処理部（図示省略）などから構成されるファクシミリ（ＦＡＸ）エンジン部、２０７はＦＡＸエンジン部２０５のデータバスであり、これらはファクシミリ動作を行うために必要なデバイス（後述の符号２０８〜２１６）と接続され、ＭＰＵ２０１により制御される。
【００３０】
２０８はカラープリンタ、２０９はカラースキャナ、２１０はオペレーションパネル、２１１はパラレル通信インターフェイスポート、２１２はパラレル通信インターフェイス用コネクタであり、このパラレル通信インターフェイス用コネクタ２１２を介してデータ端末１０３から送信されてきたデータをカラープリンタ２０８で印刷したり、カラースキャナ２０９で読取った画像をパラレル通信インターフェイス用コネクタ２１２を介してデータ端末１０３に送信したりすることができる。
【００３１】
２１３はＦＡＸモデム、２１４はハンドセット、２１５はスピーカ、２１６は保留メロディ音等を発する音源であり、これらはＦＡＸエンジン部２０５により制御されると共に、アナログスイッチ２１７と接続されている。そして、このアナログスイッチ２１７を経由して音声またはファクシミリのアナログデータがＰＨＳベースバンド処理部２３９へ送られ、デジタル信号に変換されて、ＩＳＤＮ１０７に送出される。２１８は共有レジスタであり、ＦＡＸエンジン部２０５のデータバス２０７に接続されたデバイスとＭＰＵ２０１のデータバス２０２に接続されたデバイスとの間でデータを授受する際に使用される。
【００３２】
２１９はＲＳ２３２Ｃコントローラ、２２０はＲＳ２３２Ｃ用のドライバ／レシーバ、２２１はＲＳ２３２Ｃコネクタであり、これらはデータ端末１０３の通信ポートと接続され、データ端末１０３がＩＳＤＮ１０７との間で送受信するデータのインターフェイスとして機能する。なお、本システムにおいてはＲＳ２３２Ｃを用いているが、ＵＳＢ（Ｕｎｉｖｅｒｓａｌ  Ｓｅｒｉａｌ  Ｂｕｓ）、ＩＥＥＥ（ｔｈｅ  Ｉｎｓｔｉｔｕｔｅ  ｏｆ  Ｅｌｅｃｔｒｉｃａｌ  ａｎｄＥｌｅｃｔｒｏｎｉｃ  Ｅｎｇｉｎｅｅｒｓ，Ｉｎｃ）１３９４、ＩｒＤＡ（Ｉｎｆｒａｒｅｄ  Ｄａｔａ  Ａｓｓｏｃｉａｔｉｏｎ）、ホームバス等の通信インターフェイスを用いることも可能である。
【００３３】
２２２はＩＳＤＮ１０７のＵ点と接続するモジュラコネクタ、２２３はＤＳＵ（Ｄｉｇｉｔａｌ  Ｓｅｒｖｉｃｅ  Ｕｎｉｔ）であり、局交換機との間で授受されるデータをＴＴＬレベルの信号に変換するものである。２２４ａはＩＳＤＮ１０７のＳ／Ｔ点に接続する端末とバス接続するモジュラコネクタ、２２４ｂはトランス、２２４ｃはドライバ／レシーバであり、ＩＳＤＮ１０７のＳ／Ｔ点に接続する機能を持つＩＳＤＮ端末との間で授受するＡＭＩ（ＡｌｔｅｒｎａｔｅＭａｒｋＩｎｖｅｒｓｉｏｎ）符号のデータとＴＴＬレベル信号との変換処理を行うことで、複数のＩＳＤＮ端末をバス接続して使用できるようにするものである。
【００３４】
２２５はＩＳＤＮ１０７のＴ点インターフェイス部であり、ＩＳＤＮ１０７のレイヤ１〜レイヤ３までの制御を行い、ＩＳＤＮ１０７のＢチャネルのデータの入出力機能を有している。２２６はエコーキャンセラであり、ＩＳＤＮ１０７で発生したエコーを除去する。２２７はＨＤＬＣ（Ｈｉｇｈ−ｌｅｖｅｌ  Ｄａｔａ  Ｌｉｎｋ  Ｃｏｎｔｒｏｌ）コントローラであり、ＩＳＤＮ１０７を介して授受するＨＤＬＣフォーマットのデータの組立／分解処理を行う。２２８はＰＩＡＦＳコントローラであり、無線データ伝送プロトコル（ＰＩＡＦＳ）フォーマットのデータの組立／分解処理を行う。２２９は第１のポートスイッチであり、５−２切替えスイッチ２３０を有し、ＭＰＵ２０１の制御の下に、ＩＳＤＮ１０７のＢ１チャネルとＢ２チャネルで伝送するデータの切替え処理を行う。２３２はエコーキャンセラ制御信号であり、エコーキャンセラの動作モード設定やエコーキャンセラ動作のオン／オフ制御を行う。
【００３５】
２３３は第２のポートスイッチであり、２−１切替スイッチ２３１，２３４，２３５を有し、ＭＰＵ２０１の制御により、第１のポートスイッチ２２９に接続するデータの切替え処理を行う。２３６はＩ．４６０規格に基づくデータ変換処理を行うＩ．４６０変換部であり、３２Ｋｂｐｓ／６４Ｋｂｐｓの伝送速度変換処理を行うと共に、ＰＨＳエンジン部２３７からのＰＩＡＦＳデータを、スルーモードでＰＩＡＦＳコントローラ２２８へ切替える処理を行う。
【００３６】
上記のＰＨＳエンジン部２３７は、ＰＨＳ制御用のＣＰＵ２３８と、音声コーデック部、無線伝送フレームの組立／分解部、変復調部などから構成される２つのＰＨＳベースバンド処理部２３９，２４０と、高周波ユニット２４１と、アンテナ２４２等により構成されている。ＰＨＳエンジン部２３７は、アナログスイッチ２１７を介して入出力されるアナログ音声、ファクシミリデータをＰＣＭ（Ｐｕｌｓｅ  Ｃｏｄｅ  Ｍｏｄｕｌａｔｉｏｎ）データに変換すると共に、ＰＨＳ電話機１０２，１０４との間で２チャネルの３２ＫｂｐｓのＡＤＰＣＭ（Ａｄａｐｔｉｖｅ  Ｄｉｆｆｅｒｒｅｎｔｉａｌ  Ｐｕｌｓｅ  Ｃｏｄｅ  Ｍｏｄｕｌａｔｉｏｎ）の無線音声／データ伝送を行うことを可能にする。なお、本システムにおいては２系統のＰＨＳベースバンド処理部２３９，２４０を有しているが、１つのベースバンド処理部により複数スロットを制御することも考えられる。
【００３７】
次に、主な信号の機能を説明する。２４３はＭＰＵ２０１とＦＡＸエンジン部のＣＰＵ２０６の間のシリアル通信用の信号線、２４４はＭＰＵ２０１とＰＨＳエンジン部２０５のＣＰＵ２３８との間のシリアル通信用の信号線である。２４５と２４６はアナログスイッチ２１７とＰＨＳエンジン部２３７を接続するアナログ信号用の信号線であり、この信号線のアナログ信号は、それぞれＰＨＳベースバンド処理部２３９、ＰＨＳベースバンド処理部２４０内のＰＣＭコーデックによりＰＣＭ信号に変換されるとともに、ＡＤＰＣＭコーデックにより３２Ｋｂｐｓの音声データに変換され、所定のフレームに構成されてＲＦユニット２４１を介して送信される。
【００３８】
２４７はアナログ信号線２４５からのアナログ信号をＰＣＭ変換した６４Ｋｂｐｓのデータ用の信号線、２４８は第１の無線スロットで通信する６４Ｋｂｐｓのデータ用の信号線、２４９はアナログ信号線２４６からのアナログ信号をＰＣＭ変換した６４Ｋｂｐｓのデータ用の信号線、２５０は第２の無線スロットで通信する６４Ｋｂｐ５のデータ用の信号線である。信号線２４８、２５０のＰＣＭ変換された６４Ｋｂｐｓのデータは、ベースバンドＩＣ（ＰＨＳベースバンド処理部２３９，２４０）内のＡＤＰＣＭ−ＰＣＭトランスコーダにより３２Ｋｂｐｓの音声データ信号に変換されて、ＲＦユニット２４２を介して送信される。２５１は非制限デジタル通信で使用する３２Ｋｂｐｓのデータ用の信号線であり、ＩＳＤＮ１０７のＢチャネルに接続するために、Ｉ．４６０変換部２３６を介してポートスイッチ２２９に接続される。
【００３９】
２５２はＰＨＳベースバンド処理部２３９と接続されるＰＣＭ音声データ用の信号線、２５３はＰＨＳベースバンド処理部２４０と接続されるＰＣＭ音声データ用の信号線、２５４、２５５はＩ．４６０変換部２３６と接続される非制限デジタルデータ用の信号線であり、それぞれスイッチ２３１、ＰＩＡＦＳコントローラ２２８に接続される。２５６はＰＩＡＦＳコントローラ２２８に接続される６４Ｋｂｐｓのデータ用の信号線、２５７はＨＤＬＣコントローラ２２７に接続される６４Ｋｂｐｓのデータ用の信号線である。２５８はＩＳＤＮ１０７のＢ１チャネルで伝送される６４Ｋｂｐｓのデータ用の信号線、２５９はＩＳＤＮ１０７のＢ２チャネルで伝送される６４Ｋｂｐｓのデータ用の信号線である。
【００４０】
２６０はＩＳＤＮ１０７から抽出した８ＫＨｚと６４ＫＨｚのクロックを供給するための信号線であり、信号線２５８、２５９、２４７、２４８、２４９、２５０上の信号は、これらのクロックに同期して転送される。２６１はＰＨＳエンジン部２３７から出力される８ＫＨｚと３２ＫＨｚのクロックを供給するための信号線であり、信号線２５１上の信号は、８ＫＨｚと３２ＫＨｚに同期して転送される。
【００４１】
図３は、ＰＨＳエンジン部２３７の詳細な構成を示すブロック図である。図３において３０１と３０６はスイッチであり、アナログスイッチ２１７と接続される信号、無線伝送される信号、及びＩＳＤＮに接続される信号の切替えを行うものである。３０２と３０７はアナログ／ＰＣＭ変換部、３０３と３０８はＡＤＰＣＭ／ＰＣＭ変換部、３０４と３０９は図９に示す無線伝送フレームの組立／分解を行うＴＤＭＡ組立／分解部、３０５と３１０はπ／４シフトＱＰＳＫ（Ｑｕａｄｒａｔｅｄ  Ｐｈａｓｅ  Ｓｈｉｆｔ  Ｋｅｙｉｎｇ）変調／復調部である。３１１はマルチプレクサであり、無線データ通信を行う際に使用するＰＨＳベースバンド処理２３９，２４０を選択するものである。
【００４２】
ベースバンド処理部２３９，２４０の内部では、ＣＰＵ２３８の制御によりスイッチ３０１，３０６を切替え、状況に応じてさまざまにデータ伝送経路を切替える切替処理が行われる。例えば、ハンドセットを使ってＩＳＤＮ１０７経由で通話を行う場合には、アナログスイッチ２１７から出力されたアナログ信号２４５は、アナログ／ＰＣＭ変換部３０２においてＰＣＭ符号に変換されて、データ線２４７に出力される。一方、ハンドセットと無線電話機の間で通話を行う場合には、アナログ／ＰＣＭ変換部３０２でＰＣＭ符号に変換された音声データは、スイッチ３０１でＡＤＰＣＭ／ＰＣＭ変換部３０３に入力されてＡＤＰＣＭ符号に変換された上で、ＴＤＭＡ組立／分解部３０４により無線フレームに組立てられ、ＱＰＳＫ変調／復調部３０５にて変調された後に、無線回線に送信される。また、無線電話機からの音声データをＩＳＤＮ１０７に送出する場合には、信号線２４７がＡＤＰＣＭ／ＰＣＭ変換部３０３と接続される。
【００４３】
３１２は位相差に応じた幅のパルスを出力する位相比較器、３１３はＫカウンタ、３１４はインクリメント／ディクリメント回路、３１５は分周回路であり、これらデバイスによって構成されたＤＰＬＬ（Ｄｉｇｉｔａｌ  Ｐｈａｓｅ−Ｌｏｃｋ  Ｌｏｏｐ）により、ＩＳＤＮ１０７から抽出した８ＫＨｚクロック（ＩＳＤＭ８Ｋ２６０）に同期した±５ｐｐｍ精度の３８４ＫＨｚクロック３１６を生成している。生成した３８４ＫＨｚクロック３１６およびＲＦユニット２４１のＴＣＸＯからの±３ｐｐｍ精度の１９．２ＭＨｚクロック３１８を基準にして、ＰＨＳベースバンド処理部２３９，２４０は動作している。
【００４４】
すなわち、ＰＨＳ電話機１０２，１０４とＩＳＤＮ１０７との間でデータ（ＰＣＭ符号化された音声を含む）の送受信を行う場合、データのオーバーラン、アンダーランを防ぐために、ＩＳＤＮ回線とＰＨＳ無線回線が同期して動作することが必要となる。その一方で、ＰＨＳ無線回線の同期タイミング精度は±５ｐｐｍ以内という高い精度が求められる。ＩＳＤＮ１０７から抽出される同期タイミングクロック（ＩＳＤＮ８Ｋ）の精度は±５ｐｐｍ以内であるため、上記の位相比較器３１２などから構成されるＤＰＬＬによって、ＩＳＤＮ１０７に同期した８ＫＨｚクロック（ＩＳＤＮ８Ｋ）２６０に同期した３８４ＫＨｚクロックを生成し、ＰＨＳベースバンド処理部２３９，２４０を動作させる必要がある。そこで、ＰＨＳエンジン部２３７は、次のようなＤＰＬＬの動作を行う。
【００４５】
すなわち、ＤＰＬＬで生成された出力クロックを分周した８ＫＨｚクロック３１７と、ＩＳＤＮ１０７に同期した８ＫＨｚクロック（ＩＳＤＮ８Ｋ）２６０が位相比較器３１２に入力される。そして、位相比較器３１２は、位相比較結果に応じて、ＩＳＤＮクロック（ＩＳＤＮ８Ｋ）２６０の位相が進んでいれば５Ｖのパルスを、位相が遅れていれば０Ｖのパルスを、Ｋカウンタ３１３に出力する。
【００４６】
Ｋカウンタ３１３は、アップカウンタとダウンカウンタから構成されており、位相比較器３１２からの位相情報に基づいてＲＦユニット２４１からの１９．２ＭＨｚの基準クロックをアップカウント、またはダウンカウントして、ＣＡ（キャリー）、またはＢＯ（ボロー）を出力する。このキャリー、ボローは、インクリメント／ディクリメント回路３１４に入力され、ＲＦユニット２４１からの１９．２ＭＨｚの基準クロックを２分周すると共に、キャリーを受信した場合は１／２周期のパルスを上記２分周したクロックに挿入して出力し、ボローを受信した場合は１／２周期分のパルスを上記２分周したクロックから削除して出力する。
【００４７】
分周回路３１５は、インクリメント／ディクリメント回路３１４から出力されるクロックを分周することで、装置内部でのバーストタイミンダの基準クロック３１６と、ＩＳＤＮ１０７からの網同期信号（ＩＳＤＮ８Ｋ）との位相比較を行うための８ＫＨｚの内部基準クロック３１７を生成する。
【００４８】
なお、内部クロックモードの場合、ＩＳＤＮ８Ｋのクロックは入力されず、インクリメント／ディクリメント回路３１４では、ＲＦユニット２４１から入力される基準クロックをビットの増減を行わずにそのまま２分周して、分周回路３１５へ出力する。そして、分周回路３１５では、２分周された基準クロックをそのまま再度分周し、内部でのバーストタイミングの基準クロック３１６を生成する。また、内部クロックモードの場合は、８ＫＨｚの内部基準クロック３１７も使用しない。
【００４９】
さらに、ＤＰＬＬは、例えばＳＮ５４／７４ＬＳ２９７を用いて構成することができる。また、位相比較器３１２、Ｋカウンタ３１３、インクリメント／ディクリメント回路３１４、分周回路３１５は公知である。さらに、本実施形態では、ＱＰＳＫ変調／復調部を複数有する構成となっているが、ＴＤＭＡ組立／分解部３０４，３０９が複数のスロットに対応していれば、１つのＱＰＳＫ変調／復調部で構成することも可能である。
【００５０】
図４、図５は、図２に示したスイッチ２３０の詳細な構成を示すブロック図である。図４、図５において、４０１と４０２はデコーダ、４０３と４０５はＯＲゲート、４０４と４０６はＡＮＤゲートである。
【００５１】
図４は、スイッチ２３０のうち、ＩＳＤＮ１０７から受信したＢ１チャネル、Ｂ２チャネルのデータを、ＰＨＳエンジン部２３７に通じる３本の信号線２５２，２５３，２５４、ＨＤＬＣコントローラ２２７、ＰＩＡＦＳコントローラ２２８のうちのいずれかに接続するための構成要素を示している。
【００５２】
スイッチ２３０に割当てられたアドレスにＭＰＵ２０１が所定の値を書込むと、スイッチ２３０は、その値をデコーダ４０２によりデコードすることにより、信号線２５８，２５９を接続すべき相手に対応する信号線２５２，２５３，２５４，２５６，２５７に通じるＯＲゲート４０３にのみＬ（０Ｖ）を出力し、他のＯＲゲ−ト４０４にはＨ（５Ｖ）を出力する。従って、選択されたＯＲゲート４０３からのみ信号線２５８，２５９のデータがＡＮＤゲート４０４に入力され、結果として信号線２５８，２５９がそれぞれ５本の出力信号線のうちの１本と接続されることとなる。
【００５３】
図５は、スイッチ２３０のうち、ＰＨＳエンジン部２３７に接続された３本の信号線２５２，２５３，２５４、ＨＤＬＣコントローラ２２７、ＰＩＡＦＳコントローラ２２８のいずれかを、ＩＳＤＮ１０７のＢ１チャネル、Ｂ２チャネルの送信信号線に接続するための構成要素を示している。
【００５４】
スイッチ２３０に割当てられたアドレスにＭＰＵ２０１が所定の値を書込むと、スイッチ２３０は、その値をデコーダ４０２によりデコードすることにより、ＩＳＤＮ１０７のＢ１チャネル、Ｂ２チャネルの送信信号線にそれぞれ接続すべき信号線２５２，２５３，２５４，２５６，２５７に対応する２つのＯＲゲート４０５にのみＬ（０Ｖ）を出力し、他のＯＲゲ−ト４０５にはＨ（５Ｖ）を出力する。これにより、５本の信号線のうち１本はＩＳＤＮ１０７のＢ１チャネルに通じる信号線２５８に接続され、１本はＩＳＤＮ１０７のＢ２チャネルに通じる信号線２５９に接続されることとなる。
【００５５】
図６は、ポートスイッチ２３３の詳細な構成を示すブロック図である。図６において、５０１は選択回路（マルチプレクサ）５０２，５０３，５１０，５１１を制御する信号を生成するデコーダ、５０２はシリアルデータをアナログ信号に変換するか、或いは無線回線に出力するかを切替えるための選択回路であり、デコーダ５０１を介してＭＰＵ２０１により制御される。この選択回路５０２の出力は、ＰＨＳエンジン部２３７にデータ２４７（２４９）、またはデータ２４８（２５０）として入力される。逆に、ＰＨＳエンジン部２３７から出力されるデータ２４７（２４９）、または２４８（２５０）は、マルチプレクサ５０３により、アナログ信号をＰＣＭ信号に変換するか、或いは無線部からの信号をＰＣＭ信号に変換するかが選択され、網からの同期信号２６０に同期してデータ信号２５２としてポートスイッチ２２９に出力される。
【００５６】
選択回路５１１は、デコーダ５０１の制御により、無線回線からのデータをＩＳＤＮ１０７に出力するのか、或いはＰＩＡＦＳコントローラ２２８に出力するのかを選択する。５１０はＰＩＡＦＳコントローラ２２８からの３２ＫｂｐｓのＰＩＡＦＳフレーム信号を無線回線に出力するのか、或いはＩＳＤＮ１０７からのＰＩＡＦＳフレーム信号を無線回線に出力するのかを切替えるためのデマルチプレクサであり、デコーダ５０１を介してＭＰＵ２０１により制御される。デマルチプレクサ５１０の出力２５１は、ＰＨＳエンジン部２３７に入力される。逆に、選択回路５１１は、ＰＨＳエンジン部２３７から出力されるデータ（３２ＫｂｐｓのＰＩＡＦＳフレーム信号）をそのままＰＩＡＦＳコントローラ２２８へ出力するのか、或いはＩ．４６０変換してＩＳＤＮ１０７に出力するのかを切替えるための選択回路であり、デコーダ５０１を介してＭＰＵ２０１により制御される。
【００５７】
ＰＨＳエンジン部２３７からの信号をＩＳＤＮ１０７に出力する場合は、Ｉ．４６０変換部２３６により、３２Ｋｂｐｓ−６４Ｋｂｐｓ変換処理が行われる。この際、Ｉ．４６０変換部２３６内のパラレル／シリアル変換部５０７、シリアル／パラレル変換部５０９は、８ＫＨｚ、３２ＫＨｚのクロックタイミングで動作する。
【００５８】
３２ＫＨｚのクロックに同期してＰＨＳエンジン部２３７から入力されるデータは、シリアル／パラレル変換部５０９において、４ビットのパラレルデータに変換されると共に、４ビットのダミービットが挿入されて、８ビットのデータとしてＦ１ＦＯ５０８に入力される。パラレル／シリアル変換部５０７は、Ｆ１ＦＯ５０８内の８ビットのデータを、１ＳＤＮ１０７より作成される６４ＫＨｚのクロックに同期して、シリアル信号として取出してＩＳＤＮ１０７に出力する。
【００５９】
また、ＩＳＤＮインターフェイス２２５より入力されるＰＣＭデータを、６４ＫＨｚのクロックに同期して、シリアル／パラレル変換部５０４でパラレルデータに変換し、Ｆ１ＦＯ５０５に書込む。パラレル／シリアル変換変換部５０６では、所定の４ビットを削除し、ＰＨＳエンジン部２３７からの３２ＫＨｚのクロックに同期して、シリアルデータとしてＰＨＳエンジン部２３７ヘ送信する。また、ＰＨＳエンジン部２３７からの信号をＰＩＡＦＳコントローラ２２８に出力する場合は、データおよびクロックを選択回路５１０，５１１で切替える。
【００６０】
ＰＨＳエンジン部２３７からＩ．４６０変換部に入力される同期信号（８ＫＨｚ）２６１は、ＰＨＳエンジン部２３７のクロックがＩＳＤＮ１０７に同期している場合は、位相および立上りがＩＳＤＮ１０７からの同期信号（ＩＳＤＮ８ＫＨｚ）２６０に完全に同期している。本システムがＩＳＤＮ１０７に接続されていない場合は、Ｉ．４６０変換部２３６は使用されず、本パスを通過するデータは全てＰＩＡＦＳデータであるとして同期信号２６１、およびデータ２５１をＰＩＡＦＳコントローラ２２８に転送する。
【００６１】
図７は、アナログスイッチ２１７の詳細な構成を示すブロック図である。図７において、６０１はアナログスイッチ２１７を制御するレジスタであり、データバス２０２を介してＭＰＵ２０１によってデータが書込まれる。６０２はデコーダであり、レジスタ６０１に書込まれたデータをデコードして、アナログスイッチ６０３〜６１４と、ｎ対ｎアナログスイッチ６１５，６１６を制御する信号を発生する。
【００６２】
アナログスイッチ６０３〜６１４は、入力ピン、出力ピン、制御ピンから構成され、制御ピンがロウレベルの時には入力ピンと出力ピンが接続され、制御ピンがハイレベルの時には入力ピンと出力ピンが切離される。ｎ対ｎアナログスイッチ６１５、６１６は、ベースバンド処理部２３９，２４０、音源２１６、ＦＡＸモデム２１３内の信号出力２１２を、ハンドセット２１４、スピーカ２１５のどちらに接続するかの制御を行うものである。
【００６３】
ベースバンド処理部２３９，２４０に送られるデータは、アナログスイッチ６０３〜６１４により、モデム２１３からの出力信号、ハンドセット２１４から入力される音声信号、音源２１６からのメロディ音の中から、ＭＰＵ２０１の制御に基づいて選択される。具体的には、ＦＡＸ通信を行う場合にはＦＡＸモデム２１３が接続され、ハンドセット通話が行われる場合にはハンドセット２１４が接続され、保留中は音源２１６が接続される。
【００６４】
逆に、ＦＡＸ通信中には、ベースバンド処理部２３９，２４０から出力されるデータは、ＦＡＸモデム２１３に入力され、通話中には、ｎ対ｎアナログスイッチ６１５，６１６を切替えて、ベースバンド処理部２３９，２４０から出力される音声信号をハンドセット２１４やスピーカ２１５に出力することが可能である。保留中には、音源２１６から出力される信号をハンドセット２１４やスピーカ２１５に接続し、ＦＡＸモデム２１３内の通話録音部に録音された音声を聞く場合には、ＦＡＸモデム２１３から出力される信号をハンドセット２１４やスピーカ２１５に接続して使用する。
【００６５】
このようにして、動作モードに応じて、複数種類のアナログ信号を切替えてベースバンド処理部２３９，２４０に入力し、ＩＳＤＮ１０７や無線回線上で通信を行うことができる。アナログスイッチ６０３〜６１４は公知の７４ＨＣ４０５３等のアナログスイッチ、または市販のクロスポイントスイッチを用いて構成することが可能である。
【００６６】
図８は、本システムにおけるＵ点およびＴ点のハード構成を示すブロック図である。Ｕ点インタフェースは、ＩＳＤＮ１０７からの直流成分を切離すトランス、および内部に送受信用バッファを有し、ピンポン伝送（ＴＣＭ：Ｔｉｍｅ  Ｃｏｍｐｒｅｓｓｉｏｎ  Ｍｕｌｔｉｐｌｅｘｉｎｇ  Ｔｒａｎｓｍｉｓｓｉｏｎ）方式により、２線の平衡ケーブルを用いてＩＳＤＮ１０７との同期を取りながら１４４Ｋｂｐｓの双方向の伝送を行うと共に、Ｔ点側に対してはＡＭＩ（Ａｌｔｅｒｎａｔｅｄ  Ｍａｒｋ  Ｉｎｖｅｒｓｉｏｎ）符号により、送信・受信とも２線を使用し合計４線のインターフェイスでデータ送受信を行う。
【００６７】
ピンポン伝送のフレームは、２０ワードの情報とフレームビット、監視ビット、直流平衡ビットより構成される。本フレームは一般的なので説明を省略する。ＡＭＩ符号に関しては、ＩＮＳネットサービスのインターフェイスにより規定され、公開されているので説明を省略する。
【００６８】
Ｕ点インターフェイスは、局交換機と本システム間を２線のメタリックケーブルでピンポン伝送方式により双方向の伝送を可能にするためのトランス８０１、ピンポン伝送におけるバースト送受信の切換を行うスイッチ８０２、バースト送受信のタイミングを生成するバースト同期回路８０３、受信したパルスの反射成分を取り除きケーブルの周波数特性を一定に保つための等化回路８０４、フレーム同期およびバースト同期を行うためのタイミング信号をＡＭＩ符号から生成するためのＴＩＭ８０５、局交換機からピンポン伝送で送られてきた２Ｂ＋Ｄのデータを一旦バッファリングして、ＡＭＩ符号化されたベーシックインターフェイスのフレーム構成でＴ点回路に出力する受信バッファメモリ部８０６、Ｔ点回路からのＡＭＩ符号化されたベーシックインターフェイスのフレームを分解して、２Ｂ信号およびＤ信号をバッファするための送信バッファメモリ８０７、及び送信バッファメモリ８０７に記憶しているデータを局交換機に送信するために、２Ｂ＋Ｄのデータを所定のフレームに組立て送信するためのラインドライバ８０８、及びＩＳＤＮ１０７からのリバース信号を検出するリバース検出回路８１６により構成されている。
【００６９】
Ｔ点インターフェイスは、Ｕ点からのＡＭＩ符号を受信し、受信したフレーム中のフレームビットを基に２Ｂ＋Ｄチャネルのデータを分解し、Ｂチャネルの受信データを通話路へ出力する。また、受信したＡＭＩ符号から内部で位相の同期をとり、通話路に対して同期信号を送出するまた、送出した同期信号に同期して受信される通話路上のデータを、ＡＭＩ符号のフレームに組立てて、Ｕ点インターフェイスに送出する。
【００７０】
Ｔ点インターフェイスは、Ｕ点との切離しを可能とするためのライントランス８０９、ベーシックインターフェイスフレームを送受信するためのドライバ８１０、Ｕ点より受信するＡＭＩ符号化された信号を分解しＢチャネルおよびＤチャネル毎にメモリにバッファするフレーム分解部８１１、受信したＡＭ１符号化された信号からシステムの通話路で使用する基準クロック（６４ｋＨｚおよび８ＫＨｚ）を生成するＤＰＬＬ回路８１２、後述するＢｃｈインターフェイスからのデータ信号、またはＣＰＵインターフェイスからのデータ信号を、Ｕ点に送信すべくＡＭＩ符号化されたベーシックインターフェイスフレームに組立てるフレーム組立部８１３、ＤＰＬＬ回路８１２で生成される基準クロックに基づいて、ＰＣＭ送受信信号を同期信号２６０に同期させてフレーム組立部８１３に送出すると共に、フレーム分解部８１１で分解されたデータを、同期クロック２６０に同期させて通話路に出力するＢｃｈインターフェイス８１４、ＭＰＵ２０１とバスにより接続されてＴ点回路の制御を行うＭＰＵインターフェイス８１５により構成されている。
【００７１】
ＤＰＬＬ回路８１２は、内部に波形変換回路を有しており、ＡＭＩ符号信号を正負２つのコンパレータにより２つのＲＺ（Ｒｅｔｕｒｎ−ｔｏ−Ｚｅｒｏ）信号に変換し、この２つの信号を論理和により合成することで１９２ＫＨｚの基準クロックを生成する。さらにＤＰＬＬ回路８１２は、通話路の基準同期信号として、この１９２ＫＨｚのクロックを２４分周することにより８ＫＨｚのクロックを生成し、３分周することにより６４ＫＨｚのクロックを生成する。
【００７２】
本システムがＩＳＤＮ１０７に接続されている場合は、ＤＰＬＬ回路８１２がロックしているか否かを、ＩＳＤＮ１０７からのクロックによりＣＰＵインターフェイス２０２を介して知ることができる。
【００７３】
なお、本実施形態においては、同期信号は８ＫＨｚと６４ＫＨｚで構成されているが、この他、ＩＳＤＮ１０７からのクロックを同期用の信号として直接使用する場合には、１９２ＫＨｚ、３８４ＫＨｚの信号と８ＫＨｚの信号の組合せたものを、同期信号として用いることも可能である。
【００７４】
図９は、ＰＨＳ無線伝送フレームフォーマットを示した図であり、図９（ａ）は無線リンク確立時に使用するＳＣＣＨ（個別セル呼び出し）フレーム、図９（ｂ）はＰＣＨ（Ｐａｇｉｎｇ  Ｃｈａｎｎｅｌ：一斉呼び出しチャネル）フレーム，図９（ｃ）は通常データの通信に使用するＴＣＨ（Ｔｒａｆｆｉｃ  Ｃｈａｎｎｅｌ：情報チャネル）、ＦＡＣＣＨ（Ｆａｓｔ  Ａｓｓｏｃｉｔｅｄ  Ｃｏｎｔｒｏｌ  Ｃｈａｎｎｅｌ：高速付随制御チャネル）などのフレームである。
【００７５】
図１０は、無線データ伝送プロトコル（Ｐ１ＡＦＳ）で使用するフレームフォーマットを示した図であり、図１０（ａ）はプロトコルの選択及びフレーム同期を確立するために送受信されるネゴシエーションフレーム、図１０（ｂ）は通信中のフレーム再同期を取るために送受信される同期フレーム、図１０（ｃ）は制御情報を送受信するための制御フレーム、図１０（ｄ）はユーザデータを送受信するためのデータフレームである。
【００７６】
Ｐ１ＡＦＳによるデータ通信を行う際には、まずネゴシエーションフレームを用いてインバンドネゴシエーション、フレーム同期確立、応答遅延時間測定などを行い、次に制御フレームにより通信パラメータの設定を行い、データフレームによるデータ通信を開始する。
【００７７】
図１１は、ＰＰＰ（Ｐｏｉｎｔ  ｔｏ  Ｐｏｉｎｔ  Ｐｒｏｔｏｃｏｌ）のフレームフォーマットを示したである。図１１において、フラグはフレームの始まりと終わりを示す０１１１１１１０のパターン、アドレスは１１１１１１１１の固定パターン、制御は００００００１１の固定パターン、プロトコルは使用するネットワーク層プロトコルの種別を示す２バイトのデータ、データはＰＰＰの制御データやユーザデータなどを含む可変長の伝送情報、ＦＣＳ（Ｆｒａｍｅ  Ｃｈｅｃｋ  Ｓｅｑｕｅｎｃｅ）はデータ誤り検出符号である。
【００７８】
次に、本無線通信装置１０１における種々の動作モードでの動作とデータの流れを、図１２〜図２６を用いて説明する。なお、図１２〜図２０のフローチャートに対応するプログラムは、プログラムメモリ、ＲＯＭ２０３、ＣＰＵ２３８に内蔵されたＲＯＭに格納されている。
【００７９】
［電源投入時のＭＰＵ２０１による初期化処理］
本無線通信装置１０１に電源が投入されると、ＭＰＵ２０１は、図１２のフローチャートに示す動作を行う。
【００８０】
すなわち、本体へ電源が供給されると、ＭＰＵ２０１は、ＲＡＭ２０４のワークエリアを確保すると共に、各構成要素（ＩＣ）の初期化処理を行う（ステップＳ０００１）。初期化処理が終了すると、Ｕ点（ＤＳＵ）２２３にて検出されたＩＳＤＮ１０７からのリバース信号を基に、ＩＳＤＮ１０７との接続を確認する（ステップＳ０００２）。ＩＳＤＮ１０７との接続が確認できた場合、Ｔ点インターフェイス２２５においてＩＳＤＮ１０７との同期が確立しているかを確認する（ステップＳ０００３）。同期が確立している場合には、正常な６４ＫＨｚと８ＫＨｚが出力され同期を示すビットが立つ。
【００８１】
ＩＳＤＮ１０７との同期が取れていることが確認できた場合は（ステップＳ０００４）、Ｔ点インターフェイスより通話路用クロック２６０が出力される（ステップＳ０００５）。通話路用クロックが出力されると、ＭＰＵ２０１は、ＰＨＳエンジン部２３７に対して初期化開始命令を送り、出力クロックに同期した処理を行うよう指示する（ステップＳ０００６）。その後、ＰＨＳエンジン部２３７から無線部の初期化完了信号を受信すると（ステップＳ０００７）、無線回線への発着信が可能であるとして、同期が確立した旨を表示部に表示すると共に、待機処理を始める。
【００８２】
上記の表示処理としては、ＬＥＤの点灯またはＬＣＤ表示部への表示が考えられる。また、同時に、同期が確立した旨を音源２１６により音声ガイダンスで通知することも考えられる。この場合は、アナログスイッチ２１７によりスイッチして、音源２１６に内蔵された音声ガイダンス信号をスピーカ２１５へ出力する。
【００８３】
ＩＳＤＮ１０７との接続が完了していない場合は（ステップＳ０００２）、ＰＨＳエンジン部２３７に対してＰＨＳエンジン部２３７の内部クロックによる処理を行うように命令を送信する（ステップＳ０００９）。そして、ＰＨＳエンジン部２３７より初期化完了を受信した場合は（ステップＳ００１０）、ＰＨＳエンジン部２３７は、内線通信のみ可能であるとして非同期時の処理中である旨の表示を行い、待機時の処理を行う。この表示処理としては、ＬＥＤの点灯またはＬＣＤ表示部への表示が考えられる。また、同時に、同期が確立していない旨を音源２１６により音声ガイダンスで通知することも考えられる。この場合は、アナログスイッチ２１７によりスイッチして、音源２１６に内蔵された音声ガイダンス信号をスピーカ２１５へ出力する。
【００８４】
本処理においてＩＳＤＮ１０７との接続が完了しているか否かは、Ｕ点インターフェイスにてリバースを検出することにより確認できる。また、電源投入直後は、回線への接続がなされていない場合が多いので、接続確認処理の頻度を多くしている。
【００８５】
［電源投入時のＣＰＵ２３８による初期化処理］
本無線通信装置１０１に電源が投入されると、ＰＨＳエンジン部２３７のＣＰＵ２３８は、図１３、図１４のフローチャートに示す動作を行う。
【００８６】
すなわち、ＰＨＳエンジン部２３７に電源が供給されると（ステップＳ０１０１）、ＣＰＵ２３８は、内部の設定、およびメモリのワークエリアの設定を行い、網同期、すなわちＩＳＤＮ１０７から抽出したクロックによるＩＳＤＮ１０７との同期により無線部を初期化する初期化要求信号を、本体側のＭＰＵ２０１から受信したか否かを判断する（ステップＳ０１０２）。その結果、上記の初期化要求信号を受信した場合は、ＩＳＤＮ１０７とのデータ送受信が可能であるとして、Ｔ点インターフェイスより出力される８ＫＨｚの信号を基に伝送用のクロックの同期を取り、上記網同期を取るための処理をＰＨＳベースバンド処理部２３９，２４０にて実行させる（ステップＳ０１０３）。そして、ＰＨＳベースバンド処理部２３９，２４０にて網同期が取れたか否かを判別する（ステップＳ０１０４）。その結果、網同期が取れた場合は、報知信号を出力するためにキャリアを検索する（ステップＳ０１０５）。この時、ＰＨＳベースバンド部２３９，２４０は、自営標準で規定されている制御用のチャネル１２ｃｈおよび１８ｃｈを用いてキャリアセンスを行う。この時のスロットのタイミングは、ＩＳＤＮ１０７からの８ＫＨｚに同期するよう決められている。
【００８７】
また、網同期により動作中の基準スロットにおいて送信不可であると判断した場合、ＣＰＵ２３８は、網同期を一旦解除する（ステップＳ０１１０）。この解除処理は、網同期状態において、送信スロットを移動した場合、網同期が外れるために行われる。網同期を解除した後、送信に使用するスロットを送信可能なスロットヘ移動する（ステップＳ０１１１）。スロットの移動が完了したことを検出すると（ステップＳ０１１２）、再度、ＰＨＳベースバンド部２３９，２４０を網同期で動作するように設定し（ステップＳ０１１３）、網同期の確立を確認する（ステップＳ０１０３）。
【００８８】
キャリア検索の結果、所定のスロットにて報知信号を送出し得ると判断した場合は（ステップＳ０１０６）、ＬＣＣＨ（Ｌｏｇｉｃ  Ｃｏｎｔｒｏｌ  Ｃｈａｎｎｅｌ）を用いて所定のタイミングで報知信号を送信する（ステップＳ０１０７）。そして、ＣＰＵ２３８は、ＭＰＵ２０１に対して網同期による初期化が完了したことを通知して、網同期による通信を行う（ステップＳ０１０８）。この処理中に、ＭＰＵ２０１から網との同期の終了が通知されるのを監視し（ステップＳ０１０９）、網との同期の終了が通知されない場合は、通常の処理を継続する。
【００８９】
ＭＰＵ２０１から網との同期の終了が通知された場合は、図１４のステップＳ０２０１以降の内部クロックモードで動作するための処理へ移行する。なお、ステップＳ０１０２にて、無線部を網同期により初期化する初期化要求信号を受信しないと判断された場合、及びステップＳ０１０４にて、ＰＨＳベースバンド処理部２３９，２４０で網同期が取れなかったと判断された場合も、ステップＳ０２０１以降の内部クロックモードで動作するための処理へ移行する。
【００９０】
［内部クロックモードで動作時の処埋］
ＣＰＵ２３８は、ＭＰＵ２０１から内部クロックモードによる動作命令を受信すると（ステップＳ０２０１）、ＰＨＳエンジン部２３７に対して内部クロックモードによるキャリア検索を開始させる（ステップＳ０２０２）。そのキャリア検索の結果、報知信号用のスロットおよび周波数を獲得できなかった場合は（ステップＳ０２０３）、送信可能なスロットヘの移動処理を行う（ステップＳ０２０７）。なお、内部クロックモードにおいては、スロットの移動は自由である。スロットの移動が完了すると（ステップＳ０２０８）、再度キャリアを獲得するための処理を行う（ステップＳ０２０３）。
【００９１】
キャリア検索の結果、所定のスロットにおいて報知信号送出が可能であると判断した場合は（ステップＳ０２０３）、ＬＣＣＨを用いて、所定のタイミングで報知信号の送信を開始する（ステップＳ０２０４）。報知信号の送信を開始すると、ＣＰＵ２３８は、ＭＰＵ２０１に対して内部クロック動作モードによる初期化が完了したことを通知し、内部クロックでの通信を行う（ステップＳ０２０５）。この処理中に、ＭＰＵ２０１から網同期開始の通知がなされるのを監視する（５０２０６）。網同期開始の通知がなされない場合は、通常の処理を継続する。網同期開始の通知がなされた場合は、前述の網同期モードで動作するための処理へ移行する。
【００９２】
［ＰＨＳ電話機との音声通信動作］
無線データ端末（ＰＨＳ電話機１０２）が、ＩＳＤＮ１０７を介して音声通信動作を行う場合、本無線通信装置１０１のＭＰＵ２０１は、図１５のフローチャートに示す動作を行う。
【００９３】
すなわち、ＰＨＳ電話機１０２のキー操作によってダイヤルがなされると、無線通信装置１０１とＰＨＳ電話機１０２の間で、上記図１５に示すフローチャートに従って発信処理が行われる。
【００９４】
具体的には、まず、ＰＨＳ電話機１０２は、無線通信装置１０１に対して、無線リンクのリンクチャネル確立要求信号をＳＣＣＨチャネルにより送信する。無線通信装置１０１においては、ＰＨＳエンジン部２３７内のＣＰＵ２３８がアンテナ２４２、高周波ユニット２４１、ベースバンド処理部２３９，２４０を介して無線リンクチャネル確立要求信号を受信すると（ステップＳ０３０１）、ＰＨＳ電話機１０２に対して、リンクチャネル割当メッセージを送信する。
【００９５】
ＰＨＳ電話機１０２から無線リンク確立要求信号を受信しない場合は、ＭＰＵ２０１は、Ｕ点インタフェース２２３およびＴ点インタフェース２２５を監視することにより、デジタル回線の状態を監視する（ステップＳ０３１１）。デジタル回線の状態が正常な場合は、ＰＨＳ電話機１０２からのリンク確立要求信号を監視する（ステップＳ０３０１）。デジタル回線が正常ではないと判断すると、回線異常時の処理を行う。本処理は、特にＩＳＤＮ１０７との接続が絶たれた場合や、ＩＳＤＮ１０７との網同期が確立しなくなった場合に行う。
【００９６】
ＰＨＳ電話機１０２は、無線通信装置１０１からリンクチャネル割当てを受けると、呼設定メッセージを送信する。呼設定メッセージを受けたＣＰＵ２３８は、呼設定確認メッセージをＰＨＳ電話機１０２に送り、呼設定確認メッセージを受けたＰＨＳ電話機１０２は、無線管理、移動管理関連メッセージをＣＰＵ２３８と授受した後、付加情報メッセージを送信する。
【００９７】
ＣＰＵ２３８は、付加情報メッセージを受信すると、ＩＳＤＮ１０７ヘの発信要求があったことを、シリアル通信データ２４４によりＭＰＵ２０１に通知する（ステップＳ０３０２）。発信要求を受けたＭＰＵ２０１は、ＩＳＤＮインターフェイス２２５の発信処理を起動する（ステップＳ０３０３）。ＩＳＤＮインターフェイス２２５は、ＭＰＵ２０１にてメモリ２０４に格納されたレイヤ３のメッセージをＩＳＤＮ１０７へＤＭＡ転送し、ＩＳＤＮ１０７との間でメッセージを授受する（ステップＳ０３０４）。ＩＳＤＮインターフェイス２２５は、ＩＳＤＮ１０７から応答メッセージを受信すると（ステップＳ０３０５）、ＭＰＵ２０１に割込みをかけ、ＭＰＵ２０１は、ＣＰＵ２３８に対して応答通知を行うよう指示し、その指示を受けたＣＰＵ２３８は、ベースバンド処理部２３９，２４０などを介して、ＰＨＳ電話機１０２に応答メッセージを送信し（ステップＳ０３０６）、それ以降、ＰＨＳ電話機１０２と無線通信装置１０１の間で通話チャネルが接続される。
【００９８】
そして、ＭＰＵ２０１は、呼設定メッセージの授受で音声通信であることを確認している場合は、各種ポートスイッチを切替えて、音声通信を行うための処理へ移行する（ステップＳ０３０７）。同時に、ＭＰＵ２０１は、ＰＨＳ電話機１０２の通話チャネルとＩＳＤＮ１０７のＢチャネルを接続するように、第１のポートスイッチ２２９、第２のポートスイッチ２３３を切替える。本実施例ではＰＨＳ電話機１０２で送受信する音声は、ＰＨＳベースバンド処理部２３９で送受信されてデータ線２４７で伝送されるので、第２のポートスイッチ２３３のスイッチ２３４を制御して、データ線２４７をデータ線２５２に接続する。さらに、スイッチ２３４が接続されているデータ線２５２がＩＳＤＮ１０７のＢ１チャネルのデータ線２５８に抜続されるように、第１のポートスイッチ２２９を切替える（ステップＳ０３０８）。
【００９９】
さらに、ＰＨＳ電話機１０２で音声通信をする場合、無線伝送フレーム組立／分解処理による遅延の影響で回線エコーが発生するため、エコーキャンセラ２２６を動作させる必要がある。そこで、ＭＰＵ２０１は、エコーキャンセラ２２６がエコーキャンセル動作を開始するように、第１のポートスイッチ２２９を介して所定の設定を行う（ステップＳ０３０９）。
【０１００】
以上の処理により、ＰＨＳ電話機１０２から入力された音声は、ＰＨＳベースバンド処理部２３９で受信され、受信したＰＣＭデータ（音声データ）は、エコーキャンセラ２２６、ＩＳＤＮインターフェイス２２５、ＤＳＵ２２３、コネクタ２２２を介してＩＳＤＮ１０７に送信される。ＩＳＤＮ１０７から受信した音声データも、全く同様の経路でＰＨＳ電話機１０２に送信される。
【０１０１】
次に、音声通話時の同期信号およびデータ信号の流れを図２１を参照しながら説明する。ＩＳＤＮインターフェイス２２５において網同期が確立すると、ＩＳＤＮ１０７のクロックに同期した同期信号ＩＳＤＮ８ＫＨｚが出力される。また、このＩＳＤＮ８ＫＨｚに同期してデータ送受信を行うためのクロック（６４ＫＨｚ）も出力される。ＰＣＭ信号は、このＩＳＤＮ８ＫＨｚと６４ＫＨｚに同期して各デバイス（ＩＣ）間で入出力される。
【０１０２】
音声通信時には、ＩＳＤＮインターフェイス２２５から出力されるＩＳＤＮ８ＫＨｚと６４ＫＨｚ信号、およびＰＣＭ音声データが、ＰＨＳベースバンド処理部２３９へ出力される。ＰＨＳベースバンド処理部２３９では、ＩＳＤＮ８ＫＨｚに基づいてＤＰＬＬにより同期クロックを作成し、このクロックを基に無線の送受信処理を行う。受信した音声データは、ＡＤＰＣＭ／ＰＣＭ変換され、ＩＳＤＮ８ＫＨｚおよび６４ＫＨｚ信号に同期して、ＩＳＤＮインターフェイス２２５ヘ出力される。
【０１０３】
［データ端末１０６によるＰＩＡＦＳ通信］
次に、データ端末１０６からのＰＩＡＦＳによるデータ送信動作を、図１５、図２２を参照しながら説明する。
【０１０４】
図１に示したように、データ端末１０６が、ＰＩＡＦＳカード１０５、ＰＨＳ電話機１０４、及び本無線通信装置１０１を介してＩＳＤＮ１０７に接続され、ＰＩＡＦＳデータの通信を行うことのできる相手とデータ通信を行う場合、データ端末１０６の通信アプリケーションソフトが起動し、データ端末１０６に接続されたＰＩＡＦＳカード１０５に対して発信要求が出される。すると、ＰＩＡＦＳカード１０５は、ＰＨＳ電話機１０４に対して発信要求を転送し、発信要求を受けたＰＨＳ電話機１０４は、上記のＰＨＳ電話機１０２と同様に、無線通信装置１０１に発信を行い、無線通信装置１０１はＩＳＤＮ１０７に対して発信を行う（ステップＳ０３０１〜ステップＳ０３０４）。ただし、この場合には、呼設定メッセージ内の情報は、３２Ｋｂｐｓの非制限デジタルデータに設定されている。
【０１０５】
ＩＳＤＮ１０７からの応答を受けると（ステップＳ０３０５）、ＰＨＳ電話機１０４に対して応答メッセージを送信し（ステップＳ０３０６）、ＰＨＳ電話機１０４はＰＩＡＦＳカード１０５を介して、相手が応答したことをデータ端末１０６に通知する。一方、無線通信装置１０１は、先の呼設定メッセージ内の情報が３２Ｋｂｐｓの非制限デジタルデータに設定されているので、送信データはＰＩＡＰＳデータであると判断し（ステップＳ０３０７）、第１のポートスイッチ２２９内のスイッチ２３０と、第２のポートスイッチ２３３内のスイッチ２３１を切替える。
【０１０６】
具体的には、データ線２５１の信号がＩ．４６０変換部２３６を経由してデータ線２５４に接続されるように、スイッチ２３１を切替え、データ線２５４がデータ線２５８に接続されるようにスイッチ２３０を切替える（ステップＳ０３１２）。さらに、エコーキャンセラ２２６は、スルーモードに設定されている（ステップＳ０３１３）。以上の手順でデータ通信チャネルが接続される（ステップＳ０３１４）。
【０１０７】
通信チャネルが確立された後は、まず、データ端末１０６と相手端末との間でＰＩＡＦＳプロトコルのネゴシエーションが行われる。ＰＩＡＦＳカード１０５にて送信されるＰＩＡＦＳネゴシエーションフレームは、ＰＨＳ電話機１０４を介して無線通信装置１０１のＰＨＳベースバンド処理部２３９で受信される。受信された３２Ｋｂｐｓデータは、データ線２５１を介してＩ．４６０変換処理部２３４で６４Ｋｂｐｓに変換された上で、第１のポートスイッチ２２９、エコーキャンセラ２２６、ＩＳＤＮインターフェイス２２５、ＤＳＵ２２３を介してＩＳＤＮ１０７に送信される。
【０１０８】
このようにして、ＩＳＤＮ１０７に接続された相手との間でＰＩＡＦＳデータの送受信を行えるようになるので、ＰＩＡＦＳプロトコルに従った所定のネゴシエーションにより、相手とのＰＩＡＦＳリンクを確立した上で、データの送受信が開始される。データ端末１０６が送信するデータ（ＰＰＰプロトコルフォーマット）は、ＰＩＡＦＳカード１０５によりＰＩＡＦＳヘッダとトレーラが付加され、上記ネゴシエーションフレームと同様の流れで相手に送られ、相手においてＰ１ＡＦＳヘッダとトレーラが削除されて、データフィールドに格納されたＰＰＰプロトコルフォーマットのデータのみが取出され、上位ソフトにより処理される。
【０１０９】
この際、送信するデータは、図１０に示すＰＩＡＦＳ無線電送フレームに従ったフレーム構成となっている。また、ＰＨＳエンジン部２３７にて音声通信時に設定されているＶＯＸ（Ｖｏｉｃｅ  Ｏｐｅｒａｔｅｄ  Ｔｒａｎｓｍｉｓｓｉｏｎ）やレベルの設定は、全て０ＦＦされる。ＰＨＳ電話機１０４を介して受信したデータは、全てスルーでデータ信号線２５１へ出力される。
【０１１０】
ＰＩＡＦＳ通信中の同期信号およびデータ信号は、図２２のように流れる。すなわち、音声通話時と同様に、ＩＳＤＮ１０７と同期したクロックＩＳＤＮ８ＫＨｚと６４ＫＨｚ、およびデータ信号が、ＰＨＳベースバンド処理部２３９とＩ．４６０変換部２３６に入力される。ＰＨＳベースバンド処理部２３９では、内部に有するＰＬＬ回路により同期クロックを作成し、このクロックを基に無線の送受信処理を行う。さらに、内部で同期が確立した８ＫＨｚの同期信号を、ＰＨＳベースバンド処理部２３９からＩ．４６０変換部２３６へ出力する。また、前記８ＫＨｚと同期した３２ＫＨｚ信号およびＰＩＡＦＳデータも同時に出力する。
【０１１１】
Ｉ．４６０変換部２３６は、６４ＫＨｚと３２Ｋｚのデータ速度の変換を行う。この際、ＩＳＤＮ８ＫＨｚと８ＫＨｚは、立上り、および位相が完全に一致している場合もあるが、ＰＣＭスロットを用いてＰＣＭ信号を多重化している場合は、位相がずれていることも考えられる。なお、ＰＣＭ信号を多重化している場合は、データ通信に使用するクロックは、６４ＫＨｚに限らず１９２ＫＨｚ、３８４ＫＨｚから２０４８ＫＨｚなどの６４ＫＨｚを逓倍したクロックにより構成してもよい。
【０１１２】
［データ端末１０３による１ＳＤＮアクセス動作］
次に、本無線通信装置１０１において、データ端末１０３を用いてＩＳＤＮ１０７をアクセスする場合の、ＭＰＵ２０１の動作を図１６のフローチャートに従って説明する。
【０１１３】
データ端末１０３がＩＳＤＮ１０７を介して接続された相手とデータ通信を行う場合、データ端末１０３の通信アプリケーションソフトが起動し、ＡＴコマンドにより発信先番号が送信される。無線通信装置１０１では、上記コマンドを受信すると（ステップＳ０４０１）、データはＲＳ２３２Ｃコネクタ２２１を介してＲＳ２３２Ｃコントローラ（シリアル通信コントローラ）２１９に入力される。ＲＳ２３２Ｃコントローラ２１９は、データを受信すると、ＭＰＵ２０１に割込みをかけ（ステップＳ０４０２）、ＭＰＵ２０１は、ＲＳ２３２Ｃコントローラ２１９に格納されたデータをＲＡＭ２０４に転送する（ステップＳ０４０３）。
【０１１４】
データ端末１０３からの発信要求を受信しない場合、ＭＰＵ２０１は、Ｕ点インタフェース２２３、およびＴ点インタフェース２２５の状態、すなわちデジタル回線の状態を監視する（ステップＳ０４２３）。デジタル回線の状態が正常な場合は、データ端末１０３からの発信要求を監視する（ステップＳ０４０１）。デジタル回線が正常でない場合は、回線異常時の処理を行う。ＭＰＵ２０Ｉは、受信したデータを解析して発信要求であることを認識すると、ＩＳＤＮインターフェイス２２５の発信処理を起動する（ステップＳ０４０４）。
【０１１５】
ＩＳＤＮインターフェイス２２５は、ＭＰＵ２０１にてＲＡＭ２０４に格納されているレイヤ３のメッセージをＤＭＡ転送し、ＩＳＤＮ１０７との間でメッセージを授受する（ステップＳ０４０５）。ＩＳＤＮインターフェイス２２５は、ＩＳＤＮ１０７から応答メッセージを受信すると（ステップＳ０４０６）、ＭＰＵ２０１に割込みをかけ、割込みを受けたＭＰＵ２０１は、相手との接続を認識すると、ＲＳ２３２Ｃコントローラ２１９を介して、データ端末１０３に接続通知を行う（ステップＳ０４０７）。さらに、ＭＰＵ２０１は、第１のポートスイッチ２２９を制御し、データ線２５７とデータ線２５８を接続する（ステップＳ０４０８）。従って、ＨＤＬＣコントローラ２２７から出力されたデータは、エコーキャンセラ２２６、１ＳＤＮインターフェイス２２５、ＤＳＵ２２３、コネクタ２２２を介してＩＳＤＮ１０７に送信されることになる。
【０１１６】
この際、データ通信においてはエコーキャンセル処理を行う必要がないため、ＭＰＵ２０１は、第１のポートスイッチ２２９を介してエコーキャンセラ２２６をスルーモードに設定する（ステップＳ０４０９）。このようにして、データ通信チャネルが接続され、データ端末１０３とＩＳＤＮ１０７との間でデータ送受信を行うことができるようになる（ステップＳ０４１０）。
【０１１７】
データ端末１０３は、接続通知を受けることにより、データの送信を関始する。このとき送信するデ−タは、図１１に示す非同期ＰＰＰに従ったフレーム構成となっている。データ端末１０３が送信するデータは、前述のＡＴコマンドデータと同様にして、ＲＳ２３２Ｃコントローラ２１９を介してＲＡＭ２０４に格納される。すなわち、データを受信すると（ステップＳ０４１１）、ＲＳ２３２Ｃコントローラ２１９はＭＰＵ２０１に割込みをかけ（ステップＳ４１２）、ＭＰＵ２０１は、ＲＡＭ２０４にデータを転送する（ステップＳ０４１３）。
【０１１８】
格納されたデータは非同期ＰＰＰに従っているため、ＩＳＤＮ１０７に送信する際に使用するＨＤＬＣのフラグパターン（０１１１１１１０）と同一のパターンを含む場合がある。そこで、ＭＰＵ２０１は、格納されたデータを読出して、上記フラグパターンがデータ中に現れないようなＰＰＰ非同期／同期変換処理を行う（ステップＳ０４１４）。
【０１１９】
具体的には、フラグパターンと同じビット列が現れた時には、コントロールエスケープ（０１１１１１０１）＋フラグパターンの第６ビットを反転したデータ（０１０１１１１０）に置換する処理を行う。その上で、ＭＰＵ２０１は、フラグパターン以外のデータをＨＤＬＣコントローラ２２７に転送し（ステップＳ０４１５）、ＨＤＬＣコントローラ２２７は、ＩＳＤＮ１０７から抽出した６４ＫＨｚクロックに同期したデータ２５５を第１のポートスイッチ２２９に送信し、ＩＳＤＮインターフェイス２２５を介してＩＳＤＮ１０７に送信する（ステップＳ０４１６）。
【０１２０】
逆に、ＩＳＤＮ１０７からデータを受信すると（ステップＳ０４１７）、コネクタ２２２、ＤＳＵ２２３、ＩＳＤＮインターフェイス２２５、エコーキャンセラ２２６、第１のポートスイッチ２２９を介して、受信データをＨＤＬＣコントローラ２２７に入力する。ＨＤＬＣコントローラ２２７は、受信データからフラグパターンを検出すると（ステップＳ０４１８）、ＭＰＵ２０１に対して割込みをかけ、ＭＰＵ２０１は、受信データをＲＡＭ２０４に格納する（ステップＳ０４１９）。ＭＰＵ２０１は、格納されたデータのＰＰＰ同期／非同期変換処理を行った上で（ステップＳ０４２０）、ＲＳ２３２Ｃコントローラ２１９を介して、データ端末１０３に送信する（ステップＳ０４２１）。このようにして、データ端末１０３によりＩＳＤＮ１０７を介してデータ通信を行うことが可能となる。
【０１２１】
図２３に有線データ端末（データ端末１０３）による通信時の同期信号、およびデータ信号の流れを示す。
【０１２２】
ＩＳＤＮインターフェイス２２５から出力される同期信号は、ＨＤＬＣコントローラ２２７に直接入力され、この同期信号に同期してデータ端末１０３は、ＰＣＭ信号を送受信する。この処理中は、ＩＳＤＮインターフェイス２２５でのみ同期が確立していればよく、ＨＤＬＣコントローラ２２７は、この同期信号を用いて通信を行うだけである。
【０１２３】
［データ端末１０６によるＰＩＡＦＳデータのＰＰＰ送信］
本無線通信装置１０１において、無線で接続されているデータ端末１０６により、ＰＩＡＦＳデータの通信を行うことのできない相手とデータの通信を行う場合、ＭＰＵ２０１は、図１７のフローチャートに示す処理を行う。この場合、相手に対してはＰＰＰデータの形式で送信する必要があるため、無線通信装置１０１内部でデータ変換処理を行う必要がある。
【０１２４】
すなわち、データ端末１０６からデータ送信を行う場合には、データ端末１０６の通信アプリケーションソフトが起動し、データ端末１０６に接続されたＰＩＡＦＳカード１０５に対して発信要求が出される。ＰＩＡＦＳカード１０５は、接続されたＰＨＳ電話機１０４に対して発信要求を出し、発信要求を受けたＰＨＳ電話機１０４は、無線通信装置１０１に発信する。
【０１２５】
無線通信装置１０１のＰＨＳエンジン部２３７は、ＰＨＳ電話機１０４からの発信要求を受信すると（ステップＳ０５０１）、ＭＰＵ２０１に対して割込みをかけ（ステップＳ０５０２）、ＭＰＵ２０１は、ＩＳＤＮインターフェイス２２５の発信処理を起動し（ステップＳ０５０３）、ＩＳＤＮ１０７に対して呼設定メッセージを送信する（ステップＳ０５０４）。ただし、この場合は、６４Ｋｂｐｓの同期ＰＰＰデータを送信することになるので、呼設定メッセージ内の情報は６４Ｋｂｐｓの非制限デジタルデータに設定されている。ＰＨＳ電話機１０４からの発信要求を受信しない場合は、ＭＰＵ２０１は、Ｕ点インターフェイス２２３およびＴ点インターフェイス２２５の状態を監視することにより、ＩＳＤＮ１０７（デジタル回線）の状態を監視する（ステップＳ０５０５）。デジタル回線の状態が正常であれば、ＰＨＳ電話機１０４からのリンク確立要求を監視する（ステップＳ０５０１）。デジタル回線が正常ではないときは、回線異常時の処理を行う。
【０１２６】
ＩＳＤＮ１０７からの応答を受けると（ステップＳ０５０５）、ＰＨＳ電話機１０４に対して応答メッセージを送信し（ステップＳ０５０６）、ＰＨＳ電話機１０４は、ＰＩＡＦＳカード１０５を介してデータ端末１０６に相手が応答したことを通知して、通信チャネルが確立される。一方、無線通信装置１０１は、受信したＰ１ＡＦＳデータを同期ＰＰＰデータとしてＩＳＤＮ１０７に送信するために、第１のポートスイッチ２２９内のスイッチ２３０と、スイッチ２３１を切替える。
【０１２７】
具体的には、データ線２５１の信号がＩ．４６０変換部２３６を経由してデータ線２５５を介してＰＩＡＦＳコントローラ２２８の３２ＫｂｐｓのＰＩＡＦＳデータインターフェイスに接続されるように、スイッチ２３１を切替えると同時に、ＨＤＬＣコントローラ２２７の６４Ｋｂｐｓのデータインターフェイスがデータ線２５７、およびスイッチ２３０を経由してデータ線２５８に接続されるように、スイッチ２３０を切替える（ステップＳ０５０７）。また、エコーキャンセラ２２６はスルーモードに設定され、Ｉ４６０変換部２３６も、変換処理を行わないスルーモードに設定されている（ステップＳ５０９）。
【０１２８】
通信チャネルを確立した後は、まず、データ端末１０６と無線通信装置１０１内のＰＩＡＦＳコントローラ２２８との間でＰＩＡＦＳプロトコルのネゴシエーションが行われる。ＰＩＡＦＳカード１０５により送信される通信パラメータ設定要求フレームは、ＰＨＳ電話機１０４を介して無線通信装置１０１のＰＨＳベースバンド処理部２３９で受信される（ステップＳ０５１０）。受信した３２Ｋｂｐｓデータは、データ線２５１を介してＩ．４６０変換部２３６に入力される。Ｉ．４６０変換部２３６は、スルーモードに設定されているので、データ変換されないまま第１のポートスイッチ２２９に入力される。第１のポートスイッチ２２９に入力されたデータは、スイッチ２３０を経由してＰＩＡＦＳコントローラ２２８に入力される。
【０１２９】
ＰＩＡＦＳコントローラ２２８は、通信パラメータ設定要求フレームを受けて、通信パラメータ設定受付フレームをＰＨＳエンジン部２３７を経由してデータ端末１０６に送信し（ステップＳ０５１１）、所定のネゴシエーション手順を終えると、無線データ伝送リンク（ＰＩＡＦＳリンク）が確立したか否かを確認する（ステップＳ０５１２）。ＰＩＡＦＳカード１０５とＰＩＡＦＳコントローラ２２８との間でＰＩＡＦＳリンクが確立すると、データ端末１０６の送信するデータがＩＳＤＮ１０７ヘ送信開始される。
【０１３０】
具体的には、ＰＩＡＦＳカード１０５は、データ端末１０６にて送信されてきたＰＰＰフォーマットのデータにＰＩＡＦＳヘッダとトレーラを付加し、上記ネゴシエーションフレームの場合と同様に、ＰＨＳ電話機１０４を介して、ＰＩＡＦＳコントローラ２２８に入力する。ＰＩＡＦＳコントローラ２２８は、データを受信したことを検出すると（ステップＳ０５１３）、ＭＰＵ２０１に割込みをかけ、データを受信したことを通知し、ＰＩＡＦＳフレームのヘッダとトレーラを削除して、ＰＰＰデータをＲＡＭ２０４に転送する（ステップＳ０５１４）。その後、ＰＰＰデータを同期ＰＰＰフォーマットに変換した上で（ステップＳ０５１５）、ＲＡＭ２０４に格納されたデータをＨＤＬＣコントローラ２２７に書込み（ステップＳ５１６）、ＨＤＬＣコントローラ２２７からは、ＩＳＤＮ１０７の６４ＫＨｚのタイミングに同期してデータが送信される。
【０１３１】
送出されたデータは、スイッチ２３０、エコーキャンセラ２２６、ＩＳＤＮインターフェイス２２５、ＤＳＵ２２３を介してＩＳＤＮ１０７に送信される（ステップＳ０５１７）。逆に、ＩＳＤＮ１０７からデータを受信すると（ステップＳ５１８）、その受信データは、コネクタ２２２、ＤＳＵ２２３、ＩＳＤＮインターフェイス２２５、エコーキャンセラ２２６、第１のポートスイッチ２２９を介してＨＤＬＣコントローラ２２７に入力される。
【０１３２】
ＨＤＬＣコントローラ２２７は、受信したデータからフラグパターンを検出すると（ステップＳ０５１９）、ＭＰＵ２０１に対して割込みをかけ、ＭＰＵ２０１は、受信したデータをＲＡＭ２０４に格納する（ステップＳ０５２０）。ＭＰＵ２０１は、格納されたデータのＰＰＰ同期／非同期変換処理を行った上で（ステップＳ０５２１）、ＰＩＡＦＳコントローラ２２８によりヘッダとトレーラを付加した上で、ＰＨＳエンジン部２３７を介してデータ端末１０６に送信する（ステップＳ０５２２）。
【０１３３】
このようにして、データ端末１０６との間でＰＩＡＦＳデータの送受信を行いながら、ＩＳＤＮ１０７では同期ＰＰＰデータ通信を行うことが可能になる。
【０１３４】
図２４に無線で接続されたデータ端末による同期ＰＰＰデータ通信時の同期信号およびデータ信号の流れを示す。
【０１３５】
本処理を行っているときには、ＩＳＤＮ１０７と同期したクロックであるＩＳＤＮ８ＫＨｚは、ＨＤＬＣコントローラ２２７とベースバンド処理部２３９の両方に入力される。ＨＤＬＣコントローラ２２７およびベースバンド処理郎２３９は、ＩＳＤＮ８ＫＨｚ信号に同期して送受信処理を行う。ＩＳＤＮ１０７からデータを受信時は、ＨＤＬＣコントローラ２２７は、ＩＳＤＮ８ＫＨｚ、６４ＫＨｚに同期したデータを分解し、８ｂｉｔ形式のデータとしてＲＡＭ２０４に転送する。ＰＩＡＦＳコントローラ２２８は、ＲＡＭ２０４に転送されたデータを、ＰＩＡＦＳフォーマットのデータに組立て、ＩＳＤＮ１０７と同期している８ＫＨｚおよび３２ＫＨｚの信号と同期して、ＰＨＳベースバンド処理部２３９を介してＰＨＳ電話機１０４へ送信する。
【０１３６】
逆にＰＨＳ電話器１０４から送信されるＰＩＡＦＳデータは、ＩＳＤＮ１０７に同期した８ＫＨｚ、３２ＫＨｚに同期してＰＨＳベースバンド処理部２３９から出力され、ＰＩＡＦＳコントローラ２２８によりＰＩＡＦＳフォーマットからデータを取出し、ＲＡＭ２０４ヘ転送される。ＨＤＬＣコントローラ２２７は、ＲＡＭ２０４からデータを読出し、ＨＤＬＣのフォーマットに組立てて、ＩＳＤＮ８ＫＨｚおよび６４ＫＨｚに同期してＩＳＤＮ１０７へ出力する。
【０１３７】
この時、ＩＳＤＮ８ＫＨｚと８ＫＨｚは、立上りおよび位相が完全に一致している場合もあるが、ＰＣＭスロットを用いてＰＣＭ信号を多重化している場合は位相がずれていることも考えられる。なお、ＰＣＭ信号を多重化している場合は、データ通信用に使用するクロックは、６４ＫＨｚに限らず、１９２ＫＨｚ、３８４ＫＨｚ〜２０４８ＫＨｚなどの６４ＫＨｚを逓倍したクロックにより構成してもよい。
【０１３８】
［ＩＳＤＮ１０７からのデータ着信時の通信動作］
図１８〜図１９は、本無線通信装置１０１に收容しているデータ端末を着信時に確認して通信を行う処理を示すフローチャートである。
【０１３９】
ＩＳＤＮインターフェイス２２５によりＩＳＤＮ１０７からの受信データの有無を監視し、ＩＳＤＮ１０７からの受信制御データが有ることを検出すると（ステップＳ０６０１）、ＭＰＵ２０１に対して割込みをかけ（ステップＳ０６０２）、受信データをＲＡＭ２０４に転送する（ステップＳ０６０３）。割込みを受けたＭＰＵ２０１は、ＲＡＭ２０４から受信データを読出し、このデータが着呼を示していた場合は、着呼に対する接続処理を行い（ステップＳ０６０４）、着信呼情報中の呼設定に基づいて音声、データ、無線データ通信のどのプロトコルによる通信を行うか否かを判定する（ステップＳ０６０５）。
【０１４０】
本実施形態では、３２Ｋｂｐｓの非同期バーストデ−タをＰＩＡＦＳデータ通信プロトコルにより通信する要求を受けた時の処理を表す。
【０１４１】
ＩＳＤＮ１０７からの着信要求を受信しない場合、ＭＰＵ２０１は、Ｕ点インターフェイス２２３およびＴ点インターフェイス２２５の状態を監視することにより、ＩＳＤＮ１０７（デジタル回線）の状態を監視する（ステップＳ０６１７）。デジタル回線の状態が正常であれば、ＰＨＳ電話機からのリンク確立要求を監視する（ステップＳ０６０１）。デジタル回線が正常でない場合は、回線異常時の処理を行う。
【０１４２】
ＭＰＵ２０１は、ＰＩＡＦＳデータ通信プロトコルによる着信であることを検出すると、ＲＳ２３２Ｃコントローラ２１９に接続されているデータ端末が有るある否かを確認するメッセージを、ＡＴコマンドで送信すると共に、ＰＨＳエンジン部２３７のＣＰＵ２３８に対して、データ端末の収容の有無および使用可能か否かを確認する（ステップＳ０６０６）。この結果、システムで有線および無線のデータ端末１０３、１０６を収容し、両データ端末が使用可能であった場合（ステップＳ０６０７）、ＭＰＵ２０１は、ＲＳ２３２Ｃコントローラ部２１９およびＰＨＳエンジン部２３７に対して、着信があったことを通知し、データ端末１０３、１０６に対して着信を行わせる。
【０１４３】
収容しているデータ端末が有線のデータ端末１０３であった場合は（ステップＳ０６０８）、ＩＳＤＮインターフェイス２２５に対して、呼出中を示す信号を送信し、ＩＳＤＮ１０７に対して送信させる。また、ＲＳ２３２Ｃコントローラ２１９に対して着信処理を促すメッセージを送信し、ＲＳ２３２Ｃコネクタ２２１を介して、ＡＴコマンドでデータ送信する（ステップＳ０６１３）。この後、データ端末１０３から着信の応答があった場合は（ステップＳ０６１４）、ＰＩＡＦＳデータ通信プロトコルから有線データ通信プロトコルヘのデータの変換処理を行い、データ端末１０３との通信を開始する（図１６参照）。
【０１４４】
また、収容しているデータ端末がデータ端末１０６のみであった場合は（ステップＳ０６０９）、ＩＳＤＮインターフェイス２２５に対しては呼出を示す信号を送信し、ＩＳＤＮ１０７に対して呼出中を示す信号を送信する。また、ＰＨＳエンジン部２３７に対して着信処理を行うよう指示するメッセージを送信する（ステップＳ０６１５）。そして、データ端末１０６から応答があったことを示すメッセージをＰＨＳエンジン部２３７のＣＰＵ２３８より受信すると（ステップＳ０６１６）、ＭＰＵ２０１は、データ端末１０６でのＰＩＡＦＳ伝送プロトコルによるデータ通信を開始する（図１５参照）。
【０１４５】
ＩＳＤＮ１０７からの着信時に有線および無線で接続されるデータ端末が無いと判断した場合は、ＩＳＤＮインターフェイス２２５に対して切断要求を送信し（ステップＳ０６１０）、ＩＳＤＮインターフェイス２２５は、ＩＳＤＮ１０７に対して切断を送信し（ステップＳ０６１１）、通信を終了させる（ステップＳ０６１２）。
【０１４６】
［有線および無線で接続されるデータ端末を有する場合の着信処理］
有線および無線で接続されるデータ端末１０３、１０６を収容し、データ通信が可能なアプリケーションが立上っていることを検出した場合、ＭＰＵ２０１は、ＩＳＤＮインターフェイス２２５に対して呼出を示す信号を送信し、ＩＳＤＮ１０７に対して呼出中を示す信号を送信する。また、ＰＨＳエンジン部２３７のＣＰＵ２３８に対して着信処理を行うようメッセージを送信する（ステップＳ０７０１）。
【０１４７】
さらに、ＲＳ２３２Ｃコントローラ２１９に対して着信処理を促すメッセージを送信し、ＲＳ２３２Ｃコネクタ２２１を介してＡＴコマンドのデータを送信する（ステップＳ０７０２）。そして、データ端末１０３から着信への応答をＡＴコマンドで受信した場合は（ステップＳ０７０３）、ＩＳＤＮインターフェイス２２５に対して応答信号を送信し、ＤＳＵ２２３、コネクタ２２２を介してＩＳＤＮ１０７に送信させる。また、ＭＰＵ２０１は、第１のポートスイッチ２２９を制御し、データ線２５７とデータ線２５８を接続する（ステップＳ０７１３）。
【０１４８】
従って、ＨＤＬＣコントローラ２２７から出力されたデータは、エコーキャンセラ２２６、ＩＳＤＮインターフェイス２２５、ＤＳＵ２２３、コネクタ２２２を介してＩＳＤＮ１０７に送信されることになる。このデータ通信においては、エコーキャンセル処理を行う必要がないため、ＭＰＵ２０１は、第１のポートスイッチ２２９を介して、エコーキャンセラ２２６をスルーモードに設定する（ステップＳ０７１４）。
【０１４９】
以上の処理で、データ通信チャネルが接続され、データ端末１０３によりＩＳＤＮ１０７との間でデータ送受信を行うことができるようになる（ステップＳ０７１５）。その後、受信したデータをＰＩＡＦＳデータ通信プロトコルから有線データ通信プロトコルに変換し、データ通信を行う（図１６参照）。
【０１５０】
ＭＰＵ２０１は、データ端末１０３からの応答を確認できない場合、データ端末１０６からの応答を確認する（ステップＳ０７０４）。データ端末１０６からの応答を確認した場合は、ＰＨＳエンジン部２３７のＣＰＵ２３８による無線リンクの確立を確認する（ステップＳ０７０５）。ＣＰＵ２３８による無線リンクの確立を確認すると、ＭＰＵ２０１は、ＩＳＤＮインターフェイス２２５に対してその旨を通知して、ＤＳＵ２２３、コネクタ２２２を介してＩＳＤＮ１０７にも通知させ、ＩＳＤＮ１０７とＰＨＳ電話機１０４間の通話路を接続する処理へ移行する（ステップＳ０７０６）。
【０１５１】
ＭＰＵ２０１は、ＰＩＡＦＳデータをＩＳＤＮ１０７との間で送受信するために、第１のポートスイッチ２２９内のスイッチ２３０と、第２のポートスイッチ２３３内のスイッチ２３１を切替える。具体的には、データ線２５１の信号がＩ．４６０変換部２３６を経由してデータ線２５４を介してＩＳＤＮインターフェイス２２５に接続されるようにスイッチ２３１を切換え、データ線２５４とデータ線２５８を接続する（ステップＳ０７０７）。また、エコーキャンセラ２２６は、スルーモードに設定される（ステップＳ０７０８）。本処理が終了すると、ＩＳＤＮ１０７とデータ端末１０６間の通信チャネルが確立し、無線、及びＩＳＤＮ１０７を介して行うデータ伝送が可能になる（ステップＳ７０９）。
【０１５２】
通信チャネルを確立した後は、まず、ＩＳＤＮ１０７を介して、データ端末１０６と発呼側端末との間でＰＩＡＦＳプロトコルのネゴシエーションが行われる。Ｐ１ＡＦＳカード１０５により送信される通信パラメータ設定要求フレームは、ＰＨＳ電話機１０４を介して無線通信装置１０１のＰＨＳベースバンド処理部２３９で受信される（ステップＳ０７１０）。受信した３２Ｋｂｐｓデータは、データ線２５１を介してＩ．４６０変換部２３６に入力される。Ｉ．４６０変換部は、３２ＫｂｐｓのデータをＩＳＤＮ１０７に送信するため、ダミービットを挿入して、第１のポートスイッチ２２９に入力する。
【０１５３】
第１のポートスイッチ２２９では、６４ＫｂｐｓのＰＣＭデータをそのままエコーキャンセラ２５８、ＩＳＤＮインターフェイス２２５を介してＩＳＤＮ１０７へ送信する。また、ＩＳＤＮ１０７より受信したＰＩＡＦＳデータは、ＰＣＭデータとして、ＩＳＤＮインターフェイス２２５、エコーキャンセラ２５８、第１のポートスイッチ２２９をスルーで通過して、Ｉ．４６０変換部２３６でダミービットを削除し、３２Ｋｂｐｓのデータに変換して、ＰＨＳエンジン部２３７ヘ送信する（ステップＳ０７１１）。
【０１５４】
所定のネゴシエーション手順を終えると、無線データ伝送リンク（ＰＩＡＦＳリンク）が確立したか否かを確認し（ステップＳ０７１２）、ＰＩＡＦＳリンクが確立した場合は、ＰＩＡＦＳデータ通信プロトコルによるデータ通信を開始する（図１７参照）。
【０１５５】
［無線データ端末によるプリントアウト時の処理］
ＩＳＤＮ１０７を使用していない時に、データ端末よりＰＩＡＦＳを用いたプリントアウト要求があることを、ＰＨＳエンジン部２３７のＣＰＵ２３８を介して受信した場合（ステップＳ０８０１）、ＭＰＵ２０１は、第２のポートスイッチ２３３の内のポートスイッチ２３１を制御してクロック（ＰＨＳエンジン部２３７から出力される８ＫＨｚ、３２ＫＨｚ）、およびデータ（３２ＫＨｚに同期して入力される信号）をスルーで第１のポートスイッチ２２９に入力する。第１のポートスイッチ２２９では、このプリントアウト要求信号をＰＩＡＦＳコントローラ２２８に出力すべく、パス２５５に切替える（ステップＳ０８０２）。無線部からのデータ受信要求を受信しない場合、ＭＰＵ２０１は、Ｕ点インターフェイス２２３およびＴ点インターフェイス２２５の状態を監視することにより、ＩＳＤＮ１０７の状態を監視する（ステップＳ０８１１）。ＩＳＤＮ１０７の状態が正常であれば、無線部からのプリントデータ送信要求を監視する（８０８０１）。デジタル回線が正常である場合は、ＩＳＤＮ１０７からの同期信号に基づいてシステム全体を動作させるように処理する。
【０１５６】
ＰＩＡＦＳコントローラ２２８は、受信した３２Ｋｂｐｓのデータを、所定のフレームのデータ部として取出し、内部に有するフレーム検出部で正常に検出したことを確認すると、ＭＰＵ２０１に対して割り込みをかける（ステップＳ０８０３）。ＭＰＵ２０１は、受信したデータをＲＡＭ２０４に格納する（ステップＳ０８０４）。ＭＰＵ２０１は、ＦＡＸエンジン部２０５のＣＰＵ２０６と通信して、格納されたデータを共有レジスタ２１８を介してＦＡＸエンジン部２０５のメモリに転送する（ステップＳ０８０５）。
【０１５７】
すると、ＦＡＸエンジン部２０５は、所定の手順により、カラープリント部２０８を制御し、受信データをプリントアウトする（ステップＳ０８０６）。このプリントアウト中に、ＰＨＳエンジン部２３７からのデータ転送が完了したか否かを確認し（ステップＳ０８０７）、転送が完了している場合は、ＭＰＵ２０１は、ＦＡＸエンジン部２０５に対してその旨を通知すると共に、無線部との切断処理を行う（ステップＳ０８０８）。また、ＭＰＵ２０１は、カラープリンタ２０８でのプリントアウトが終了するかを監視する（ステップＳ０８０９）。そして、プリントアウトが終了した旨をＦＡＸエンジン部２０５のＣＰＵ２０６から受信すると、プリントアウトのリソースが解放されたものとして（ステップＳ０８１０）、待機状態へ移行する。
【０１５８】
図２５にＩＳＤＮ１０７と未接続時の同期信号およびデータ信号の流れを表す図を示す。未接続によりＩＳＤＮ１０７と同期が取れない場合は、ベースバンド処理部２３９は、自ら有するＴＣＸＯの基準クロックから８ＫＨｚおよび３２ＫＨｚの同期用のクロックを作成する。そして、この同期信号とＰＩＡＦＳデータをＰＩＡＦＳコントローラ２２８へ入力し、データ送受信を行う。
【０１５９】
図２６にＩＳＤＮ１０７と同期が取れている場合の同期信号およびデータ信号の流れを表す図を示す。音声通話時と同様に、ＩＳＤＮ１０７と同期したクロックＩＳＤＮ８ＫＨｚと６４ＫＨｚ、およびデータ信号がＰＨＳベースバンド処理部２３９に入力される。この信号は、ＰＩＡＦＳコントローラ２２８にも入力される。ＰＨＳベースバンド処埋部２３９では、内部に有するＤＰＬＬ回路により同期クロックを作成し、このクロックを基に無線による送受信処理を行う。さらに、内部で同期が確立した８ＫＨｚの同期信号をＰＩＡＦＳコントローラ２２８に出力する。また８ＫＨｚと同期した３２ＫＨｚ信号およびＰＩＡＦＳデータも、同時に出力する。
【０１６０】
ＰＩＡＦＳコントローラ２２８は、入力される同期信号およびＰＩＡＦＳデータからデータを取出し、ＲＡＭ２０４に転送する。この場合、ＩＳＤＮ８ＫＨｚと８ＫＨｚは、立上り、および位相が完全に一致している場合もあるが、ＰＣＭスロットを用いてＰＣＭ信号を多重化している場合は、位相がずれていることも考えられる。なお、ＰＣＭ信号を多重化している場合は、データ通信用に使用するクロックは、６４ＫＨｚに限らず、１９２ＫＨｚ、３８４ＫＨｚから２０４８ＫＨｚなどの６４ＫＨｚを逓倍したクロックにより構成してもよい。
【０１６１】
本実施形態においては、ＰＩＡＦＳは３２ｋｂｐｓで行っているが、２つのＢＢＩＣ（２３９，２４０）の３２ｋｂｐｓの出力を合成する手段を有することで、同様の構成で６４ｋｂｐｓ以上のデータ通信に対応が可能になる。
【０１６２】
以上説明したように、本実施形態では、ＩＳＤＮから供給されたフレーム信号に基づいて同期用のクロックを生成しているので、高価なＴＣＶＣＸＯを使用することなく、安価な構成でＩＳＤＮとの同期を取って音声およびデータ通信を行うことが可能となる。
【０１６３】
また、ＴＣＶＣＸＯを使用せず、同期処理部のＣＲ回路が不要になるので、実装面積を小さくして小型化を図ることもできる。さらに、デジタル回路で使用するバッファを少なくすることができ、構成が簡単になることにより、データ通信時のスループット、および音声品質等を向上させることができる。
【０１６４】
なお、本発明は、上記の実施形態に限定されることなく、例えば、上記のように無線データ伝送プロトコルとしてＰＩＡＦＳを用いることなく、他の無線通信方式や無線データ伝送プロトコルを用いることも可能である。
【０１６５】
また、デジタル公衆回線としては、ＩＳＤＮに限らず、ＡＴＭ（Ａｓｙｎｃｈｒｏｎｏｕｓ  Ｔｒａｎｓｆｅｒ  Ｍｏｄｅ）、光通信、ＬＡＮ（Ｌｏｃａｌ  Ａｒｅａ  Ｎｅｔｗｏｒｋ）、衛星通信などのネットワークを使用する場合においても、ネットワーク網との同期を取る場合に適用することが可能である。
【０１６６】
【発明の効果】
以上説明したように、本発明によれば、デジタル公衆回線に接続可能であり、デジタル無線基地局機能を有する無線通信装置において、高周波ユニットと、前記デジタル公衆回線と同期した第１のクロックを発生する第１のクロック発生手段と、前記高周波ユニットからの第２のクロックを分周することにより、無線通信のための第３のクロックを発生する第３のクロック発生手段と、デジタル公衆回線との同期がとれていると、第１のクロックに同期して、第３のクロックを発生させる制御手段とを備えたので、高周波ユニットに設けられたクロック発生手段を利用することにより、デジタル公衆回線との同期が取れていなくても、必要なクロックを発生することができる無線通信装置を安価に提供することが可能となる。
【図面の簡単な説明】
【図１】本発明に係る無線通信装置を適用した通信システムを示す図である。
【図２】本発明の実施の形態に係る無線通信装置の概略構成を示すブロック図である。
【図３】ＰＨＳエンジン部の詳細な構成を示すブロック図である。
【図４】第１のポートスイッチの受信系の詳細な構成を示すブロック図である。
【図５】第１のポートスイッチの送信系の詳細な構成を示すブロック図である。
【図６】第２のポートスイッチの詳細な構成すブロック図である。
【図７】アナログスイッチの詳細な構成を示すブロック図である。
【図８】Ｕ点およびＴ点インターフェイス回路の構成を示すブロック図である。
【図９】ＰＨＳ無線伝送フレームフォーマットを示した図である。
【図１０】無線データ伝送プロトコル（ＰＩＡＦＳ）で使用するフレームフォーマットを示した図である。
【図１１】ＰＰＰのフレームフォーマットを示した図である。
【図１２】ＭＰＵ２０１の電源投入時の動作を示すフローチャートである。
【図１３】ＰＨＳエンジン部の電源投入時の動作を示すフローチャートである。
【図１４】図１３の続きのフローチャートである。
【図１５】ＰＨＳ電話機による音声通信動作、およびデータ端末によるＰＩＡＦＳ通信動作を示すフローチャートである。
【図１６】有線で接続されたデータ端末によるデータ通信動作を示すフローチャートである。
【図１７】無線で接続されたデータ端末による同期ＰＰＰデータ通信動作を示すフローチャートである。
【図１８】着信時のデータ通信動作を示すフローチャートである。
【図１９】図１８の続きのフローチャートである。
【図２０】内部クロックモードでのプリントアウト動作を示すフローチャートである。
【図２１】ＰＨＳ通話時の同期信号およびデータ信号の流れを示す図である。
【図２２】ＰＩＡＦＳ通信時の同期信号およびデータ信号の流れを示す図である。
【図２３】有線で接続されたデータ端末による通信時の同期信号およびデータ信号の流れを示す図である。
【図２４】無線で接続されたデータ端末による同期ＰＰＰデータ通信時の同期信号およびデータ信号の流れを示す図である。
【図２５】ＩＳＤＮと未接続時の同期信号およびデータ信号の流れを示す図である。
【図２６】ＩＳＤＮとの同期確立時の同期信号およびデータ信号の流れを示す図である。
【図２７】従来の通信システムの構成図である。
【図２８】従来のターミナルアダプタの構成を示すブロック図である。
【符号の説明】
２０１：ＭＰＵ
２０２：バス
２０３：ＲＯＭ
２０４：ＲＡＭ
２０５：ＦＡＸエンジン部
２０６，２３８：ＣＰＵ
２０７：内部バス
２０８：カラープリンタ
２０９：カラースキャナ
２１０：オペレーションパネル
２１１：パラレル通信ポート
２１２：インターフェイス
２１３：モデム部
２１４：ハンドセット
２１５：スピーカ
２１６：音源
２１７：アナログスイッチ
２１８：共有レジスタ
２１９：ＲＳ２３２Ｃコントローラ
２２５：ＩＳＤＮインターフェイス
２２６：エコーキャンセラ
２２７：ＨＤＬＣコントローラ
２２８：ＰＩＡＦＳコントローラ
２２９：第１のポートスイッチ
２３３：第２のポートスイッチ
２３６：Ｉ．４６０変換部
２３７：ＰＨＳエンジン部
２３９，２４０：ＰＨＳベースバンド処理部
２４２：ＲＦユニット
【図１】
0003689591.tif 000002
【図２】
0003689591.tif 000003
【図３】
0003689591.tif 000004
【図４】
0003689591.tif 000005
【図５】
0003689591.tif 000006
【図６】
0003689591.tif 000007
【図７】
0003689591.tif 000008
【図８】
0003689591.tif 000009
【図９】
0003689591.tif 000010
【図１０】
0003689591.tif 000011
【図１１】
0003689591.tif 000012
【図１２】
0003689591.tif 000013
【図１３】
0003689591.tif 000014
【図１４】
0003689591.tif 000015
【図１５】
0003689591.tif 000016
【図１６】
0003689591.tif 000017
【図１７】
0003689591.tif 000018
【図１８】
0003689591.tif 000019
【図１９】
0003689591.tif 000020
【図２０】
0003689591.tif 000021
【図２１】
0003689591.tif 000022
【図２２】
0003689591.tif 000023
【図２３】
0003689591.tif 000024
【図２４】
0003689591.tif 000025
【図２５】
0003689591.tif 000026
【図２６】
0003689591.tif 000027
【図２７】
0003689591.tif 000028
【図２８】
0003689591.tif 000029